(57)【特許請求の範囲】
【請求項１】
一対の表紙と、前記一対の表紙の間に重ねて配置された複数枚の用紙とが、各々の縁部の一部で綴じられた冊子状の記録媒体上で、筆記具によって入力される情報を取得可能な情報入力装置であって、
第一検出面を有し、前記第一検出面に近接する前記筆記具の位置を検出可能な板状体であって、前記一対の表紙のうちの第一表紙の紙面略全体と対向配置可能な第一検出装置と、
第二検出面を有し、前記第二検出面に近接する前記筆記具の位置を検出可能な板状体であって、前記一対の表紙のうちの第二表紙の紙面略全体と対向配置可能な第二検出装置と、
前記第一検出装置と前記第二検出装置とを連結する部材であって、
前記第一検出装置の前記第一検出面の反対側の面である第一裏面に対向配置され、前記第一検出装置を固定する固定部と、
前記第二検出装置の前記第二検出面の反対側の面である第二裏面に対向配置され、前記第二検出装置を前記第一検出装置に対して近接する方向および離間する方向に移動可能に保持する保持部と、
前記固定部と前記保持部とを連結し、前記第一検出面と前記第二検出面とが対向する方向と、前記第一裏面と前記第二裏面とが対向する方向とに折曲げ可能な折曲部と
を有する連結部材と、
前記第一検出装置と前記第二検出装置の間に接続される部材であって、
前記第一検出装置と接続する第一接続部と、
前記第二検出装置と接続する第二接続部と、
前記第一接続部と前記第二接続部の間に設けられた中間部と、
前記中間部に設けられると共に、前記第二検出装置の前記第二裏面と前記連結部材の前記保持部との間に配置され、前記中間部の延びる方向と直交し、且つ前記第二検出装置と前記保持部とが向き合う方向と直交する方向を軸に折り返された折り返し部と、
前記中間部に設けられ、前記折り返し部によって、前記第二検出装置と前記保持部とが向き合う方向に互いに対向する第一対向部及び第二対向部と
を有する接続部材と、
前記第一検出装置及び前記第二検出装置の開閉に伴い、前記第一対向部と前記第二対向部の相対的な移動量を検出する検出手段と、
前記検出手段によって検出された前記移動量に基づき、前記情報入力装置の動作を制御する制御手段と
を備えたことを特徴とする情報入力装置。
【請求項２】
前記第一対向部に設けられ、前記中間部の長手方向において規則的に色又は濃度が異なるパターンを表示するパターン表示部と、
前記パターン表示部と対向する位置に設けられ、前記パターン表示部に表示された前記パターンのうち自身と対向する位置の前記色又は前記濃度を検出するセンサと
を備え、
前記検出手段は、
前記センサの前記色又は前記濃度の検出結果に基づき、前記移動量を検出すること
を特徴とする請求項１に記載の情報入力装置。
【請求項３】
前記センサは、光センサであること
を特徴とする請求項２に記載の情報入力装置。
【請求項４】
前記センサは、前記第二対向部に設けられていること
を特徴とする請求項２又は３に記載の情報入力装置。
【請求項５】
前記第一検出装置に設けられた第一回路部と、
前記第二検出装置に設けられた第二回路部と
を備え、
前記接続部材は、
可撓性を有する絶縁フィルム上に形成された複数の導電路を含み、前記第一回路部と前記第二回路部とを電気的に接続する接続線であって、
前記第一接続部は、前記第一回路部に電気的に接続し、
前記第二接続部は、前記第二回路部に電気的に接続していること
を特徴とする請求項１から４の何れかに記載の情報入力装置。
【請求項６】
前記制御手段は、
前記検出手段によって検出された前記移動量に基づき、前記第一検出装置及び前記第二検出装置の開閉を判断する開閉判断手段を備え、
前記開閉判断手段の判断結果に基づき、前記情報入力装置の動作を制御すること
を特徴とする請求項１から５の何れかに記載の情報入力装置。
【請求項７】
前記制御手段は、
前記開閉判断手段が前記第一検出装置及び前記第二検出装置は閉状態であると判断した場合、前記情報入力装置の電源をオフすること
を特徴とする請求項６に記載の情報入力装置。
【請求項８】
前記制御手段は、
前記開閉判断手段が前記第一検出装置及び前記第二検出装置は開状態であると判断した場合、前記情報入力装置の電源をオンすること
を特徴とする請求項６又は７に記載の情報入力装置。
【請求項９】
前記制御手段は、
前記開閉判断手段が判断した前記第一検出装置及び前記第二検出装置の開閉回数を計数する計数手段と、
前記計数手段が計数した前記開閉回数が所定回数以上になった場合に、ユーザに報知する報知手段と
を備えたこと
を特徴とする請求項６から８の何れかに記載の情報入力装置。
【請求項１０】
前記第一検出装置及び前記第二検出装置によって検出された前記筆記具の位置を、座標情報を含む筆記データとして記憶する記憶手段を備え、
前記制御手段は、
前記検出手段によって検出された前記移動量に基づき、前記筆記データの前記座標情報を補正する第一補正手段を備えたこと
を特徴とする請求項１から９の何れかに記載の情報入力装置。
【請求項１１】
前記第一検出面及び前記第二検出面において、前記筆記具から出力される信号の受信強度に基づき、前記筆記具で現在筆記している前記記録媒体の前記用紙の頁数を推定する頁数推定手段と、
前記頁数推定手段が推定した前記頁数に基づき、前記筆記データの前記座標情報を補正する第二補正手段と
を備えたこと
を特徴とする請求項１０に記載の情報入力装置。
【請求項１２】
前記情報入力装置は、
前記第一検出装置及び前記第二検出装置に電流を流すことによって、前記第一検出面及び前記第二検出面に磁界を発生させ、その磁界の中で前記筆記具が移動することによって生じる前記磁界の変化を検出することによって、前記筆記具の位置を検出する電磁誘導方式であって、
前記制御手段は、
前記第一検出装置及び前記第二検出装置が閉じた状態において、前記検出手段が検出した前記移動量に基づき、前記記録媒体の厚さを推定する厚さ推定手段と、
前記厚さ推定手段が推定した前記記録媒体の前記厚さが薄いほど、前記第一検出装置及び前記第二検出装置の夫々に流す電流を小さくする制御を行う電流制御手段と
を備えたこと
を特徴とする請求項１から１１の何れかに記載の情報入力装置。
【発明の詳細な説明】
【技術分野】
【０００１】
本発明は情報入力装置に関する。
【背景技術】
【０００２】
筆記具の位置を示す座標情報を含むデータを生成できる情報入力装置が知られている。例えば、左右方向に折り畳み可能な外装カバーに、二つの板状の検出装置を組み付けた状態で提供される情報入力装置が知られている（例えば、特許文献１参照）。情報入力装置は、二つの検出装置に冊子状の記録媒体、例えばノートを装着し、ユーザが電子ペンでノートに記入した情報を読み取ることが可能である。電子ペンは、ノートにインクで情報（文字、記号、図形、数字等）を記入でき、且つ、記入される情報を検出装置に入力可能な筆記具である。このような情報入力装置は、外装カバーを開いた状態のときだけ筆記できる。そのため、閉じた状態のときには電源を切り、消費電力を減らすことが望ましい。
【先行技術文献】
【特許文献】
【０００３】
【特許文献１】特開２０１４−２１１７７２号公報
【発明の概要】
【発明が解決しようとする課題】
【０００４】
しかしながら、上記の情報入力装置は、外装カバーの開閉状態を認識できないので、仮に使用者が電源を切り忘れると、電源が入ったままの状態となり、電池寿命が短くなる可能性があった。また、情報入力装置は、手に持った状態で筆記することがある。このとき、情報入力装置では、半分開いた状態となり、完全に開いた状態からはノートの紙面の位置が僅かにずれてしまう。それ故、二つの検出装置の開閉角度に応じて、検出装置に検出される筆記位置がずれる可能性があった。
【０００５】
本発明の目的は、二つの検出装置の開閉状態に応じて動作を制御できる情報入力装置を提供することである。
【課題を解決するための手段】
【０００６】
本発明の一態様に係る情報入力装置は、一対の表紙と、前記一対の表紙の間に重ねて配置された複数枚の用紙とが、各々の縁部の一部で綴じられた冊子状の記録媒体上で、筆記具によって入力される情報を取得可能な情報入力装置であって、第一検出面を有し、前記第一検出面に近接する前記筆記具の位置を検出可能な板状体であって、前記一対の表紙のうちの第一表紙の紙面略全体と対向配置可能な第一検出装置と、第二検出面を有し、前記第二検出面に近接する前記筆記具の位置を検出可能な板状体であって、前記一対の表紙のうちの第二表紙の紙面略全体と対向配置可能な第二検出装置と、前記第一検出装置と前記第二検出装置とを連結する部材であって、前記第一検出装置の前記第一検出面の反対側の面である第一裏面に対向配置され、前記第一検出装置を固定する固定部と、前記第二検出装置の前記第二検出面の反対側の面である第二裏面に対向配置され、前記第二検出装置を前記第一検出装置に対して近接する方向および離間する方向に移動可能に保持する保持部と、前記固定部と前記保持部とを連結し、前記第一検出面と前記第二検出面とが対向する方向と、前記第一裏面と前記第二裏面とが対向する方向とに折曲げ可能な折曲部とを有する連結部材と、前記第一検出装置と前記第二検出装置の間に接続される部材であって、前記第一検出装置と接続する第一接続部と、前記第二検出装置と接続する第二接続部と、前記第一接続部と前記第二接続部の間に設けられた中間部と、前記中間部に設けられると共に、前記第二検出装置の前記第二裏面と前記連結部材の前記保持部との間に配置され、前記中間部の延びる方向と直交し、且つ前記第二検出装置と前記保持部とが向き合う方向と直交する方向を軸に折り返された折り返し部と、前記中間部に設けられ、前記折り返し部によって、前記第二検出装置と前記保持部とが向き合う方向に互いに対向する第一対向部及び第二対向部とを有する接続部材と、前記第一検出装置及び前記第二検出装置の開閉に伴い、前記第一対向部と前記第二対向部の相対的な移動量を検出する検出手段と、前記検出手段によって検出された前記移動量に基づき、前記情報入力装置の動作を制御する制御手段とを備えたことを特徴とする。
【０００７】
本態様によれば、接続部材において互いに対向する第一対向部と第二対向部の相対的な移動量を検出することで、第一検出装置及び第二検出装置の開閉の状態を検出でき、その開閉に応じて情報入力装置の動作を制御できる。
【０００８】
本態様に係る情報入力装置は、前記第一対向部に設けられ、前記中間部の長手方向において規則的に色又は濃度が異なるパターンを表示するパターン表示部と、前記パターン表示部と対向する位置に設けられ、前記パターン表示部に表示された前記パターンのうち自身と対向する位置の前記色又は前記濃度を検出するセンサとを備え、前記検出手段は、前記センサの前記色又は前記濃度の検出結果に基づき、前記移動量を検出してもよい。本態様では、第一検出装置及び第二検出装置の開閉に応じて、第一対向部及び第二対向部は、接続部材の長手方向において相対的に位置がずれるようになっている。それ故、パターン表示部に表示されたパターンのうち、検出手段によって検出される色又は濃度は、第一検出装置及び第二検出装置の開閉に応じて変わるので、その検出された結果に基づき、第一検出装置及び第二検出装置の開閉を判断できる。
【０００９】
本態様に係る情報入力装置の前記センサは光センサであってもよい。センサは光センサであるので、パターン表示部に表示された色又は濃度に入射して反射された光を受け、その強度に基づき、色又は濃度を判断できる。
【００１０】
本態様に係る情報入力装置の前記センサは、前記第二対向部に設けられていてもよい。センサは第二対向部に設けられているので、第一対向部に設けられたパターン表示部と対向するようにセンサを容易に配置できる。
【００１１】
本態様に係る情報入力装置は、前記第一検出装置に設けられた第一回路部と、前記第二検出装置に設けられた第二回路部とを備え、前記接続部材は、可撓性を有する絶縁フィルム上に形成された複数の導電路を含み、前記第一回路部と前記第二回路部とを電気的に接続する接続線であって、前記第一接続部は、前記第一回路部に電気的に接続し、前記第二接続部は、前記第二回路部に電気的に接続していてもよい。接続部材は導電路を含む接続線であるので、他の接続部材を追加して設けることなく、パターン表示部、センサを接続部材に設けることができる。それ故、構成を簡単にできる。
【００１２】
本態様に係る情報入力装置の前記制御手段は、前記検出手段によって検出された前記移動量に基づき、前記第一検出装置及び前記第二検出装置の開閉を判断する開閉判断手段を備え、前記開閉判断手段の判断結果に基づき、前記情報入力装置の動作を制御してもよい。本態様は、第一検出装置と第二検出装置の開閉の状態に応じて、情報入力装置の動作を制御できる。
【００１３】
本態様に係る情報入力装置の前記制御手段は、前記開閉判断手段が前記第一検出装置及び前記第二検出装置は閉状態であると判断した場合、前記情報入力装置の電源をオフしてもよい。本態様は、第一検出装置と第二検出装置が閉状態のとき、情報入力装置の電源をオフするので、仮に第一検出装置と第二検出装置を閉じたときに、電源をオフする操作を忘れてしまった場合でも、自動でオフさせることができる。それ故、電池寿命を延ばすことができる。
【００１４】
本態様に係る情報入力装置の前記制御手段は、前記開閉判断手段が前記第一検出装置及び前記第二検出装置は開状態であると判断した場合、前記情報入力装置の電源をオンしてもよい。本態様は、第一検出装置と第二検出装置が閉状態から開状態になった場合に、情報入力装置の電源が自動的にオンするので、ユーザの電源オンの操作を不要にできる。閉状態になった場合にオフする請求項７の構成と合わせることによって、第一検出装置と第二検出装置の開閉に応じて電源がオンオフするので、ユーザが操作することなく電池寿命を延ばすことができる。
【００１５】
本態様に係る情報入力装置の前記制御手段は、前記開閉判断手段が判断した前記第一検出装置及び前記第二検出装置の開閉回数を計数する計数手段と、前記計数手段が計数した前記開閉回数が所定回数以上になった場合に、ユーザに報知する報知手段とを備えてもよい。本態様は、第一検出装置及び第二検出装置の開閉回数を計数できるので、例えば、所定回数について、接続部材の耐久回数を考慮した回数にすることで、ユーザに耐久回数に近づいていることを知らせることができる。
【００１６】
本態様に係る情報入力装置は、前記第一検出装置及び前記第二検出装置によって検出された前記筆記具の位置を、座標情報を含む筆記データとして記憶する記憶手段を備え、前記制御手段は、前記検出手段によって検出された前記移動量に基づき、前記筆記データの前記座標情報を補正する第一補正手段を備えてもよい。第一検出装置と第二検出装置の開き角度に応じて、記録媒体の用紙の位置はずれる。第一検出装置と第二検出装置の開き角度に応じて、接続部材における第一対向部と第二対向部の相対的な移動量が変化するので、その移動量に基づいて、筆記データの位置情報を補正することで、筆記データの位置情報を精度良く記憶できる。
【００１７】
本態様に係る情報入力装置は、前記第一検出面及び前記第二検出面において、前記筆記具から出力される信号の受信強度に基づき、前記筆記具で現在筆記している前記記録媒体の前記用紙の頁数を推定する頁数推定手段と、前記頁数推定手段が推定した前記頁数に基づき、前記筆記データの前記座標情報を補正する第二補正手段とを備えてもよい。筆記具から出力される信号の受信強度は、筆記具の高さによって変わる。つまり、ユーザが筆記する頁の高さによって、筆記具から受信する信号の強度は変わる。本発明は、筆記具から受信する信号の強度に基づき、用紙の頁数を推定できる。ここで、記録媒体を開いたときには、記録媒体の厚さによるずれが生じる。そのずれは、頁の上の方ほど中央にずれる。本発明は、用紙の頁数に応じて生じるずれを補正できるので、筆記データの位置情報を精度良く記憶できる。
【００１８】
本態様に係る情報入力装置は、前記第一検出装置及び前記第二検出装置に電流を流すことによって、前記第一検出面及び前記第二検出面に磁界を発生させ、その磁界の中で前記筆記具が移動することによって生じる前記磁界の変化を検出することによって、前記筆記具の位置を検出する電磁誘導方式であって、前記制御手段は、前記第一検出装置及び前記第二検出装置が閉じた状態において、前記検出手段が検出した前記移動量に基づき、前記記録媒体の厚さを推定する厚さ推定手段と、前記厚さ推定手段が推定した前記記録媒体の前記厚さが薄いほど、前記第一検出装置及び前記第二検出装置の夫々に流す電流を小さくする制御を行う電流制御手段とを備えてもよい。それ故、本態様は、記録媒体の厚さに応じて第一検出装置及び第二検出装置の夫々に流す電流を調整できるので、消費電力を節約できる。例えば薄い記録媒体を使う場合に消費電力を抑えられるので、電池寿命を延ばすことができる。
【００１９】
なお、上記第一態様の一部の構成を任意に組み合わせてもよい。
【図面の簡単な説明】
【００２０】
【図１】情報入力装置１の全体構成図である。
【図２】ノート５が装着され、開かれた状態の情報入力装置１の斜視図である。
【図３】開かれた状態の外装カバー４の正面図である。
【図４】検出装置２Ｌ，２Ｒの分解斜視図である。
【図５】後カバー９Ｌに組み付けられた状態のホルダ６０及びハーネス５０の斜視図である。
【図６】後カバー９Ｌに組み付けられた状態のホルダ６０及びハーネス５０の別の斜視図である。
【図７】検出装置２Ｌ，２Ｒが近接状態にある時のホルダ６０とハーネス５０の状態を示す、図６の一点鎖線Ｉ−Ｉにおける矢視方向断面図である。
【図８】検出装置２Ｌ，２Ｒが離間状態にある時のホルダ６０とハーネス５０の状態を示す、図６の一点鎖線Ｉ−Ｉにおける矢視方向断面図である。
【図９】近接状態と離間状態におけるパターン表示部８０とフォトセンサ７０の位置関係を示す図である。
【図１０】パターン表示部８０を示す図である。
【図１１】パターン表示部１８０を示す図（変形例）である。
【図１２】パターン表示部２８０を示す図（変形例）である。
【図１３】情報入力装置１の電気的構成を示すブロック図である。
【図１４】電源オフ制御処理のフローチャートである。
【図１５】電源オン制御処理のフローチャートである。
【図１６】第一データ補正処理のフローチャートである。
【図１７】ノートの厚さと電子ペンに磁界が届く為に必要な電流との関係を示すグラフである。
【図１８】パターン表示部２８０の黒領域２８５（閉位置）内に設定されたＰ１〜Ｐ３位置を示す図である。
【図１９】第四実施例におけるＣＰＵ２１、ＡＳＩＣ２９Ａ、センサ基板７Ｒの電気的接続の要部を示す図である。
【図２０】トランジスタ設定処理のフローチャートである。
【図２１】トランジスタ情報受信処理のフローチャートである。
【図２２】ノート５のページの高さによって生じるずれを示す写真である。
【図２３】ページの高さ範囲と電子ペンから受信する信号の強さとの関係を示すグラフである。
【図２４】ペン高さ算出処理のフローチャートである。
【図２５】第二データ補正処理のフローチャートである。
【図２６】耐久回数報知処理のフローチャートである。
【発明を実施するための形態】
【００２１】
以下、本発明の実施形態について、図面を参照して説明する。参照する図面は、本発明が採用し得る技術的特徴を説明するために用いられるものである。図面に記載されている装置の構成等は、それのみに限定する趣旨ではなく、単なる説明例である。
【００２２】
図１〜図３を参照し、本実施形態に係る情報入力装置１について説明する。以下の説明では、図２の上側、下側、左上側、右下側、右上側、左下側を、夫々、情報入力装置１の前側、後側、左側、右側、上側、下側と定義する。情報入力装置１の構成要素である外装カバー４と検出装置２Ｌ，２Ｒの方向は、便宜上、情報入力装置１が組み立てられた状態を基準に、情報入力装置１の方向に倣って定義する。同様に、情報入力装置１に装着するノート５の方向は、便宜上、ノート５が情報入力装置１に装着された状態を基準に、情報入力装置１の方向に倣って定義する。図１は、情報入力装置１が開閉される途中の状態を示す。図２は、情報入力装置１が開かれた状態を示す。
【００２３】
図１に示す情報入力装置１は、ユーザが携行可能なタブレット型の手書き入力装置である。情報入力装置１は、外装カバー４に、二つの板状の検出装置２Ｌ，２Ｒが組み付けられた状態で提供される。外装カバー４は、前側を見開き面側として左右方向に折り畳み（即ち、二つ折り）可能に構成され、左カバー部４Ｌ及び右カバー部４Ｒを含む。検出装置２Ｌは左カバー部４Ｌに配置され、検出装置２Ｒは右カバー部４Ｒに配置される。ユーザは、冊子状の記録媒体、例えばノート５を検出装置２Ｌ，２Ｒに装着し、電子ペン６でノート５に情報を記入する。情報入力装置１は、検出装置２Ｌ，２Ｒを用いて、ノート５に記入された情報を読み取ることができる。電子ペン６は、ノート５にインクで情報（文字、記号、図形、数字等）を記入可能、且つ、記入された情報を検出装置２Ｌ，２Ｒに入力可能な筆記具である。本実施形態の電子ペン６は、内部に、周知の共振（同調）回路を構成する可変容量コンデンサ、コイル等（図示略）を備える。後述するが、検出装置２Ｌ，２Ｒは、公知の電磁誘導方式で、電子ペン６が近接した時、電子ペン６の位置を検出可能である。
【００２４】
図１、図２に示すように、検出装置２Ｌ，２Ｒは、前面にノート５を固定可能に構成されている。具体的には、検出装置２Ｌ，２Ｒは、前面に、ノート５の左右の表紙５Ｌ，５Ｒを固定する際の位置決めを担う凹状の位置決め部２１Ｌ，２１Ｒを夫々有する。位置決め部２１Ｌは、上方、左方及び下方に段差を有し、右方には段差を有しない。位置決め部２１Ｌの上方、左方及び下方の段差は、ノート５の左表紙５Ｌの上方、左方及び下方の縁部に接触することで、ノート５を検出装置２Ｌに対して位置決めする。位置決め部２１Ｌは、凹部内で右辺近傍位置に、微粘着性の接着部２２Ｌ（図１参照）を有する。接着部２２Ｌは、ノート５の左表紙５Ｌを、容易に剥離可能な状態で、位置決め部２１Ｌに接着固定する。位置決め部２１Ｒは、上方、右方及び下方に段差を有し、左方には段差を有しない。位置決め部２１Ｒの上方、右方及び下方の段差は、ノート５の右表紙５Ｒの上方、右方及び下方の縁部に接触することで、ノート５を検出装置２Ｒに対して位置決めする。位置決め部２１Ｒは、凹部内で左辺近傍位置に微粘着性の接着部２２Ｒ（図１参照）を有する。接着部２２Ｒは、ノート５の右表紙５Ｒを、容易に剥離可能な状態で、位置決め部２１Ｒに接着固定する。
【００２５】
図３に示すように、外装カバー４は、折り曲げられていない状態では、左右方向に長い矩形状の板状体である。外装カバー４は、検出装置２Ｌを保持する左カバー部４Ｌと、検出装置２Ｒを固定する右カバー部４Ｒと、左カバー部４Ｌと右カバー部４Ｒとを左右中央で連結する折曲部４Ｃとを含む。外装カバー４は、外力に応じて変形可能な柔軟性を有する素材（例えば合成皮革又はナイロン）で作製されている。折曲部４Ｃは、上下方向に延びる軸線ＡＸ（図１参照）に沿って、前面を内側にして折り曲げることができる。即ち、外装カバー４は、折曲部４Ｃを折り曲げることで、検出装置２Ｌと検出装置２Ｒとが対向する向きに折り畳むことができる。
【００２６】
外装カバー４は、右カバー部４Ｒに、検出装置２Ｒを固定するための固定シート４１Ｒを有する。固定シート４１Ｒは、上辺、右辺及び下辺の三辺が外装カバー４の縁部４５に織り込まれ、左辺が折曲部４Ｃに織り込まれることで、外装カバー４に固定される。検出装置２Ｒは、例えば両面粘着テープ等で後面２６Ｒ（図４参照）が固定シート４１Ｒに接着されることで、外装カバー４に固定される。固定シート４１Ｒは中央部に開口４２を有する。検出装置２Ｒの後面２６Ｒは、電池の装着部（図示略）を有する。電池の装着部は、開口４２内に配置される。図示しないが、外装カバー４は後面に、面ファスナーを用いて開閉可能なカバー体（図示略）を備える。ユーザは、カバー体を開くことで、検出装置２Ｒを外装カバー４から取り外さなくてもバッテリ（図示略）交換が可能である。
【００２７】
外装カバー４は、左カバー部４Ｌに、検出装置２Ｌを保持する保持シート４１Ｌを有する。保持シート４１Ｌは、例えば透明の軟質塩化ビニールシートである。保持シート４１Ｌは、上辺、左辺及び下辺の三辺が外装カバー４の縁部４５に織り込まれ、右辺は開放されている。検出装置２Ｌは、保持シート４１Ｌの右辺側から保持シート４１Ｌと外装カバー４の本体部との間に挿入される。検出装置２Ｌは、右端部が保持シート４１Ｌの右辺から右方に突出した状態で、保持シート４１Ｌに保持される。詳細は後述するが、検出装置２Ｌは、後面２６Ｌ（図４参照）側にホルダ６０を備える。ホルダ６０は、検出装置２Ｌの本体部に対して左右方向にスライド可能に構成されている。外装カバー４の左カバー部４Ｌは、ホルダ６０を固定する固定部４３を備える。本実施形態において、固定部４３は、左右方向に並んで配置された二つの鳩目４３Ａ，４３Ｂを含む。鳩目４３Ａ，４３Ｂは、同一の開口径Ｄ１を有する。固定部４３にホルダ６０が固定されると、検出装置２Ｌは、外装カバー４の左カバー部４Ｌに対して左右方向にスライド可能な状態で、保持シート４１Ｌに保持される。
【００２８】
外装カバー４は、折曲部４Ｃの前面側に、上下方向に延び、折曲部４Ｃを覆う太幅の帯状体４４を備える。帯状体４４は、上下に張られた状態で上下両端が外装カバー４の上下の縁部４５に夫々織り込まれている。帯状体４４は、折曲部４Ｃの前面との間に隙間を有する。後述するが、検出装置２Ｌ，２Ｒを接続するハーネス５０は、帯状体４４と折曲部４Ｃの前面との間に通される。外装カバー４が開いた状態の時、帯状体４４はハーネス５０を覆い隠す。また、外装カバー４が折り畳まれる時、帯状体４４は、ハーネス５０が折曲部４Ｃの前面に沿って軸線ＡＸ（図１参照）周りで曲がるようにハーネス５０を前方から押さえることで、曲げの向きを案内する。図示しないが、外装カバー４は、バッテリのカバー体を閉じた状態に支え、栞等の用途にも使用可能なバンド、電子ペン６のホルダ、資料等を収納可能なポケット等を備える。
【００２９】
図４〜図８を参照し、検出装置２Ｌ，２Ｒの構造について説明する。検出装置２Ｌ，２Ｒは、公知の電磁誘導方式で、電子ペン６が近接した時に、その位置を検出することが可能な装置である。検出装置２Ｌ，２Ｒは、正面視で上下方向に長い矩形状であり、且つ前後方向の厚みが小さい箱状体である。
【００３０】
図４に示すように、検出装置２Ｒは、前カバー８Ｒ及び後カバー９Ｒを備える。前カバー８Ｒ及び後カバー９Ｒは、上下方向に長い略矩形状の樹脂板である。前述の位置決め部２１Ｒは、前カバー８Ｒの前面に設けられている。後述するセンサ基板７Ｒによる電子ペン６の近接位置の検出は、前カバー８Ｒの前面側にて行われる。前カバー８Ｒの前面を、便宜上、検出装置２Ｒの検出面とよぶ。前カバー８Ｒ及び後カバー９Ｒを組み合わせると、内部に収容空間を有する箱状体が形成される。
【００３１】
検出装置２Ｒは、前カバー８Ｒ及び後カバー９Ｒの間に、センサ基板７Ｒと、センサ制御基板２９と、メイン基板２０とを収容する。センサ基板７Ｒは、電子ペン６の近接位置を検出するよう構成されている。センサ制御基板２９は、センサ基板７Ｒに流す電流を制御するよう構成されている。メイン基板２０には、情報入力装置１の制御を司るＣＰＵ２１（図１３参照）が搭載されている。メイン基板２０は、電源スイッチ、発光素子、通信部等、各種スイッチ、コネクタ等の部品（図示略）を備える。これらの部品は、前カバー８Ｒの右上端部に設けられた収容部７９に収容される。メイン基板２０のＣＰＵ２１は、通信部により、ＰＣ、スマートフォン等の外部端末（図示略）と有線又は無線での通信が可能である。メイン基板２０は、センサ制御基板２９と電気的に接続する。センサ制御基板２９は、センサ基板７Ｒ後面の下端部に、センサ基板７Ｒと一体に設けられている。センサ基板７Ｒは、Ｘ軸方向（具体的には左右方向）及びＹ軸方向（具体的には上下方向）の各々に細長いループコイルが多数配列された基板である。センサ基板７Ｒは、後述するように、電子ペン６の近接位置を検出するよう構成されている。
【００３２】
検出装置２Ｌは、検出装置２Ｒと同様に、前カバー８Ｌ及び後カバー９Ｌを備える。前カバー８Ｌ及び後カバー９Ｌは、上下方向に長い略矩形状の樹脂板である。前述の位置決め部２１Ｌは、前カバー８Ｌの前面に設けられている。センサ基板７Ｌによる電子ペン６の近接位置の検出は、前カバー８Ｌの前面側にて行われる。前カバー８Ｌの前面を、便宜上、検出装置２Ｌの検出面とよぶ。詳細は図示しないが、前カバー８Ｌの左端部を除く上下両端部は、夫々、後面側に折り返した状態に形成されている。後カバー９Ｌは、左端部を除く上下両端部に沿って形成された切欠き部を有する。切欠き部は、検出装置２Ｌの組み立て時に、前カバー８Ｌのうち後面側に折り返された部分に係合する。前カバー８Ｌ及び後カバー９Ｌを組み合わせると、内部に収容空間を有する箱状体が形成される。
【００３３】
検出装置２Ｌは、前カバー８Ｒ及び後カバー９Ｒの間に、センサ基板７Ｌと、センサ制御基板２８とを収容する。センサ基板７Ｌも、Ｘ軸方向（具体的には左右方向）及びＹ軸方向（具体的には上下方向）の各々に細長いループコイルが多数配列された基板である。センサ基板７Ｌも、後述するように、電子ペン６の近接位置を検出するよう構成されている。センサ制御基板２８は、センサ基板７Ｌに流す電流を制御するよう構成されている。センサ制御基板２８は、センサ基板７Ｌの後面の下端部に、センサ基板７Ｌと一体に設けられている。センサ基板７Ｌの右縁部、左上の角部及び左下の角部には、静電気等からセンサ基板７Ｌを保護する絶縁部材７２が設けられている。
【００３４】
センサ制御基板２９とセンサ制御基板２８とは、ハーネス５０によって接続される。ハーネス５０は、センサ制御基板２９とセンサ制御基板２８とを電気的に接続するためのパターンが形成されたフレキシブル基板（ＦＰＣ：Flexible printed circuits）である。つまり、ハーネス５０は、複数の導電路が形成された可撓性を有する絶縁フィルムである。ハーネス５０の一端側の端子部５１Ａはセンサ制御基板２９に接続し、他端側の端子部５４Ａはセンサ制御基板２８に接続する。端子部５１Ａと端子部５４Ａの間の一部分は、前後方向に折り返して二段に隙間を介して重ねられた状態で配線される。ハーネス５０が折り畳まれた部分には、ハーネス５０を保護するホルダ６０が設けられている。ハーネス５０及びホルダ６０の詳細については後述する。
【００３５】
上述のように、左カバー部４Ｌ（図１参照）は、検出装置２Ｌを左右方向にスライド可能に保持する。右カバー部４Ｒ（図１参照）は、検出装置２Ｒを固定する。即ち、外装カバー４は、開かれた状態において、検出装置２Ｌを、検出装置２Ｒに対して近接する方向及び離間する方向に移動可能に保持する。言い換えると、検出装置２Ｌ及び検出装置２Ｒは、対向辺２５Ｌと対向辺２５Ｒとが互いに平行であり、且つ、対向辺２５Ｒに対し対向辺２５Ｌが近接する方向及び離間する方向に移動可能な状態で、夫々、外装カバー４に保持及び固定される。対向辺２５Ｌは、検出装置２Ｌの検出面（前面）の外縁を取り囲む辺のうち、検出装置２Ｒ側に位置する辺である。対向辺２５Ｒは、検出装置２Ｒの検出面（前面）の外縁を取り囲む辺のうち、検出装置２Ｌ側に位置する辺である。図３に示すように、対向辺２５Ｌが対向辺２５Ｒに対して近づき、検出装置２Ｌが検出装置２Ｒに対して近接した位置（図中二点鎖線で示す。）にある状態を、近接状態とよぶ。対向辺２５Ｌが対向辺２５Ｒから遠のき、検出装置２Ｌが検出装置２Ｒに対して離間した位置（図中一点鎖線で示す。）にある状態を、離間状態とよぶ。
【００３６】
センサ制御基板２９とセンサ制御基板２８とを接続するハーネス５０及びホルダ６０は、検出装置２Ｌを検出装置２Ｒに対して近接状態及び離間状態の間で移動可能な構成とするため、以下のように構成されている。図４に示すように、後カバー９Ｌは、上下方向の中央よりも下方、且つ、左右方向の中央よりも右方に、前後方向に貫通する開口部９１を備える。図５〜図７に示すように、開口部９１は左右方向に長い略矩形状である。後カバー９Ｌは、前面に、開口部９１の周囲に形成された凹部９６（図５参照）を有する。凹部９６内の上端部及び下端部近傍に、夫々左右方向に延びる一対の突起部９２，９３が形成されている。突起部９２，９３は、後述するホルダ６０の鍔部６５，６６に係合する。突起部９２，９３は、ホルダ６０を左右方向（検出装置２Ｌの対向辺２５Ｌと直交する方向）にスライド可能に支持する。
【００３７】
ホルダ６０は、壁部６１、３つの側壁６２，６３，６４、鍔部６５，６６を含む。壁部６１は、夫々左右方向に長い矩形状の第一壁部６１Ａと第二壁部６１Ｂを含む。第一壁部６１Ａと第二壁部６１Ｂは、左右方向に接続する。側壁６２，６３，６４は、夫々、壁部６１の左縁部、上縁部、下縁部から前方へ突出する。壁部６１の右方には側壁が形成されていない。第一壁部６１Ａと第二壁部６１Ｂの厚みは互いに異なる。右側に配置される第二壁部６１Ｂは、左側に配置される第一壁部６１Ａよりも厚い。ホルダ６０は、前面がセンサ基板７Ｌの後面に対向配置される。図７に示すように、第一壁部６１Ａとセンサ基板７Ｌとの間の前後方向の距離Ｄ４は、第二壁部６１Ｂとセンサ基板７Ｌとの間の前後方向の距離Ｄ５よりも大きい。即ち、ホルダ６０は、壁部６１とセンサ基板７Ｌの後面との間に形成される内部空間の前後方向の大きさが、左右方向において、側壁が形成されていない側（即ち、第二壁部６１Ｂ側）よりも、側壁６２が形成された側（即ち、第一壁部６１Ａ側）の方が大きくなるように形成されている。
【００３８】
図７に示すように、壁部６１の前面側には、第一壁部６１Ａと第二壁部６１Ｂとを接続する部分に斜面６９が形成されている。壁部６１の上下方向の長さは、開口部９１の上下方向の長さより若干小さい。壁部６１の左右方向の長さは、開口部９１の左右方向の長さより小さい。側壁６２，６３，６４の前後方向の長さは、後カバー９Ｌの厚みと略同じである。ホルダ６０が開口部９１内に配置された時、壁部６１の後面は後カバー９Ｌの後面と略同一位置にある。ホルダ６０は、開口部９１の上縁と下縁によって、上下方向への移動が規制される。ホルダ６０は、左右方向において、壁部６１と開口部９１との長さの差異分、移動可能である。
【００３９】
図５に示すように、鍔部６５は、側壁６３の前端部から上方へ向けて鍔状に突出する。鍔部６６は、側壁６４の前端部から下方へ向けて鍔状に突出する。鍔部６５の突出端（上端）から鍔部６６の突出端（下端）までの上下方向の長さは、開口部９１の周囲に形成された凹部９６の上下方向の長さと略同じである。ホルダ６０が開口部９１に配置された時、鍔部６５の後面は、凹部９６の上端部に設けられた突起部９２に接触する。鍔部６６の後面は、凹部９６の下端部に設けられた突起部９３に接触する。鍔部６５，６６の前面には、夫々２カ所ずつ、前方へ向けて球面状に突起する突起部６５Ａ，６６Ａが設けられている。突起部６５Ａ，６６Ａは、センサ基板７Ｌの後面に接触し、センサ基板７Ｌの後面と鍔部６５，６６の前面との間に隙間を維持することで、レール状の突起部９２，９３に沿ったホルダ６０の円滑なスライドを容易にする。ホルダ６０は、開口部９１の左縁部に第一壁部６１Ａの左端が接触する位置から開口部９１の右縁部に第二壁部６１Ｂの右端が接触する位置までの範囲内で、左右方向にスライドすることができる。
【００４０】
壁部６１の後面には、後方へ向けて円筒状に突起する二つの突部６７，６８が設けられている。突部６７は第一壁部６１Ａの左端部に設けられる。突部６８は、第二壁部６１Ｂの右端部に設けられる。突部６８は、突出端に、径方向外向きに突起する二つの突起部６８Ａを有する。突部６７は、外装カバー４に設けられた鳩目４３Ａ（図３参照）に係合する。突部６８は、鳩目４３Ｂに係合する。突部６８の外径Ｄ３は、突部６７の外径Ｄ２よりも大きい。外径Ｄ３は、鳩目４３Ｂの開口径Ｄ１と略同じ大きさである。突起部６８Ａは、鳩目４３Ｂに突部６８を係合した時、抜け止めとして機能する。突部６７の外径Ｄ２は、鳩目４３Ａの開口径Ｄ１よりも小さい。従って、突部６７は、鳩目４３Ａに係合した状態で、鳩目４３Ａ内で移動することができる。ホルダ６０は、突部６８が鳩目４３Ｂに固定した状態で、突部６８を支点に、突部６７が鳩目４３Ａ内で移動できる範囲内で回動することができる。この構成によって、検出装置２Ｌは、突部６７を軸にして、検出装置２Ｒに対して回動することができる。例えば、検出装置２Ｌ，２Ｒに取り付けられたノート５が開閉された時、左表紙５Ｌと右表紙５Ｒとの位置関係に、左右方向とは異なる向きの捻りが生じる可能性がある。このような場合でも、検出装置２Ｒに対する検出装置２Ｌの向きを回動によって調整することができる。従って、ノート５の左表紙５Ｌ及び右表紙５Ｒに負荷がかかりにくい。その結果、情報入力装置１は、ノート５が折れたり曲がったりすることを防止できる。
【００４１】
図３に示すように、固定部４３は、検出装置２Ｌが検出装置２Ｒに対して離間状態（図３の一点鎖線参照）にある時、検出装置２Ｌの右端部が外装カバー４の帯状体４４の左端部に重なる位置に形成される。上述のように、ホルダ６０は、開口部９１に壁部６１が接触する範囲内に移動範囲が規制されている。故に、検出装置２Ｌは、離間状態において右端部が帯状体４４に重なる位置にあれば、近接状態においても右端部が帯状体４４に重なる。ハーネス５０は、帯状体４４と折曲部４Ｃの前面の間を通る。帯状体４４の左右の縁部と折曲部４Ｃとの間には隙間が存在する。検出装置２Ｌは、離間状態においても近接状態においても常に帯状体４４に重なる位置にある。従って、情報入力装置１は、離間状態と近接状態との間の移動中に帯状体４４の縁部に引っかかって、抵抗を生ずることを防ぐことができる。
【００４２】
固定部４３にホルダ６０を固定することによって、ホルダ６０は、鍔部６５，６６で検出装置２Ｌを外装カバー４に支持する。鍔部６５，６６は夫々側壁６３，６４に支持されている。側壁６３，６４は、壁部６１に支持されている。従って、検出装置２Ｌの重みがホルダ６０に加わると、壁部６１は、側壁６３，６４を介して、鍔部６５，６６間の距離が縮まる方向に力を受ける。上述のように、ホルダ６０は、側壁６３，６４に対して直交する側壁６２を有する。側壁６２は、側壁６３，６４を夫々支持するリブとして機能するので、ホルダ６０の強度を確保することができる。
【００４３】
図５〜図７に示すように、ハーネス５０は、右側接続部５１、左側接続部５４、連結部５２、折り畳み部５３を含む。右側接続部５１は、ハーネス５０の一端に設けられた端子部５１Ａを含む。端子部５１Ａは、センサ制御基板２９のコネクタ部（図示略）に、左側から差し込んで接続する。右側接続部５１は、端子部５１Ａから左方へ延びた位置で上方側へ向けて折れ曲がり、検出装置２Ｒの後面２６Ｒに沿って、検出装置２Ｒの上下方向における端部よりも中央に近い位置へ向けて上方へ延びる部位である。
【００４４】
連結部５２は、右側接続部５１の端子部５１Ａとは反対側の端部から左方へ向けて延びる部位である。連結部５２は、検出装置２Ｒと検出装置２Ｌとの間を左右方向に繋ぐ部位である。連結部５２は、上下方向において対向辺２５Ｌ，２５Ｒの端部よりも中央に近い位置で、検出装置２Ｒと検出装置２Ｌとの間を繋ぎ、ホルダ６０へ向けて延びる。例えば、外装カバー４の開閉時などに、左カバー部４Ｌと右カバー部４Ｒに対して、左右方向を軸に前後方向に捻りが加わる場合がある。この時、検出装置２Ｒと検出装置２Ｌの上端部と下端部は、捻りによる引っ張り等の影響を受けやすい。そこで、上端部又は下端部ではなく、上下方向において端部よりも中央に近い位置に連結部５２を配置することで、ハーネス５０に負荷をかけにくくすることができる。
【００４５】
折り畳み部５３は、連結部５２の端部から左方へ延び、前方へ向け段状に曲がり、壁部６１と３つの側壁６２，６３，６４に囲まれたホルダ６０内に進入する。折り畳み部５３は、ホルダ６０内で上下方向を軸に前方側へ曲がって１８０度折返し、右方へ向けて延びる。折り畳み部５３のうち、上下方向を軸に前方側へ曲がって１８０度折返す部位を、折り返し部５３Ａという。折り畳み部５３のうち、連結部５２の端部から折り返し部５３Ａまで左方へ延びる、壁部６１側に配置される部分を第一層部５３Ｂという。折り畳み部５３のうち、折り返し部５３Ａから左側接続部５４まで右方へ延びる、センサ基板７Ｌの後面側に配置される部分を第二層部５３Ｃという。折り畳み部５３は、折り返し部５３Ａが円弧状に維持された状態で、前後方向に隙間を空けて二層に折り畳まれた状態で、ホルダ６０内に配置される。折り返し部５３Ａは、折り畳み部５３においてハーネス５０の延びる方向が変化する部位であって、ホルダ６０が左右方向へ移動することに伴い無限軌道（履帯）ベルトのような変形を生ずる部位である。前述したように、ホルダ６０の内部空間は、第一壁部６１Ａ側の方が第二壁部６１Ｂ側よりも前後方向において大きく形成されている。折り畳み部５３は、折り返し部５３Ａがホルダ６０内で第一壁部６１Ａ側に位置するようにホルダ６０内に配置されている。従って、折り畳み部５３は、折り返し部５３Ａの円弧状の維持において加わる負荷が小さい。
【００４６】
図７、図８に示すように、本実施形態では、第一層部５３Ｂは、ホルダ６０の第二壁部６１Ｂに、例えば両面粘着テープ５７で接着されている。第二層部５３Ｃは、センサ基板７Ｌの後面に、例えば両面粘着テープ５８で接着されている。両面粘着テープ５７，５８は、夫々が、無限軌道ベルト状の回動に伴って変形を生ずる折り返し部５３Ａの両端に固定されている。両面粘着テープ５７，５８は、折り返し部５３Ａの両端の近傍位置に接着されてもよい。つまり、両面粘着テープ５７，５８と折り返し部５３Ａとの間には、間隔が設けられてもよい。
【００４７】
図５〜図７に示すように、ハーネス５０は、折り畳み部５３において検出装置２Ｌの外部側から後カバー９Ｌの開口部９１を通り、内部側に進入する。左側接続部５４は、折り畳み部５３の第二層部５３Ｃがホルダ６０から右方に露出する位置から右方へ延びた先で下方へ向けて折れ曲がり、下方へ延びた先でさらに左方へ折れ曲がる部位である。左側接続部５４は、折り畳み部５３と接続するのと反対側の端部に設けられた端子部５４Ａを含む。
【００４８】
上述の構成のハーネス５０及びホルダ６０は、検出装置２Ｌが検出装置２Ｒに対して近接状態及び離間状態の間で移動する時、以下のように動作する。検出装置２Ｌが検出装置２Ｒに対して離間状態から近接状態（図３の二点鎖線参照）に移行する時、外装カバー４が開いた状態であれば、検出装置２Ｌは右方向に移動する。図７に示すように、外装カバー４に固定されたホルダ６０は、検出装置２Ｌの本体に対して相対的に、開口部９１内を左方に移動する。ハーネス５０は端子部５４Ａ（図５参照）を含む左側接続部５４が検出装置２Ｌの本体に対して位置決めされている。又はハーネス５０は、端子部５１Ａを含む右側接続部５１と、右側接続部５１に接続する連結部５２が、検出装置２Ｒに対して位置決めされている。検出装置２Ｌが検出装置２Ｒに対して近接するため、右側接続部５１及び連結部５２は相対的に左方へ移動し、左側接続部５４は相対的に右方へ移動する。ホルダ６０内で二層に重なる折り畳み部５３のうち、連結部５２に接続し、後側に位置する第一層部５３Ｂは、相対的に左方へ押圧される。左側接続部５４に接続し、前側に位置する第二層部５３Ｃは、相対的に右方へ引っ張られる。折り畳み部５３は、第一層部５３Ｂと第二層部５３Ｃとが左右方向において生ずるずれに伴い、無限軌道ベルトのように、折り返し部５３Ａにおける円弧状を維持したまま、下方から見て時計回りに回動する。これにより、ハーネス５０には、折れ曲がり等の負荷がかからない。折り返し部５３Ａは、ホルダ６０内で内部空間の前後方向の大きさがより大きい、第一壁部６１Ａ側に位置する状態を維持する。折り返し部５３Ａを第二壁部６１Ｂ側に位置させないことで、折り返し部５３Ａが形成する円弧の内接円の半径をより大きくできる。従って、折り返し部５３Ａにかかる折れ曲がり等の負荷を軽減することができる。
【００４９】
検出装置２Ｌが検出装置２Ｒに対して近接状態から離間状態（図３の一点鎖線参照）に移行する時、外装カバー４が開いた状態であれば、検出装置２Ｌは左方向に移動する。図８に示すように、外装カバー４に固定されたホルダ６０は、検出装置２Ｌの本体に対して相対的に、開口部９１内を右方に移動する。検出装置２Ｌが検出装置２Ｒに対して離間するため、右側接続部５１及び連結部５２が相対的に右方へ移動し、左側接続部５４が相対的に左方へ移動する。ホルダ６０内で二層に重なる折り畳み部５３のうち、第一層部５３Ｂは相対的に右方へ引っ張られる。第二層部５３Ｃは、相対的に左方へ押圧される。折り畳み部５３は、第一層部５３Ｂと第二層部５３Ｃとが左右方向において生ずるずれに合わせ、無限軌道ベルトのように、折り返し部５３Ａにおける円弧状を維持したまま、下方から見て反時計回りに回動する。これにより、ハーネス５０には、折れ曲がり等の負荷がかからない。折り返し部５３Ａは、ホルダ６０内で、内部空間の前後方向の大きさがより大きい、第一壁部６１Ａ側に位置する状態を維持する。
【００５０】
このように、ハーネス５０が折り畳み部５３を有することで、無限軌道ベルトのように、ハーネス５０が折り返された状態を維持したまま、検出装置２Ｌを検出装置２Ｒに対して近接又は離間させることができる。従って、情報入力装置１では、ハーネス５０が引き伸ばされたり押し縮められたりすることがなく、ハーネス５０にかかる負荷を軽減することができる。
【００５１】
ハーネス５０の折り畳み部５３をホルダ６０で覆うことで、検出装置２Ｌが検出装置２Ｒに対して近接又は離間する時、ハーネス５０の折り畳み部５３に押圧あるいは引っ張りの外力が加わった場合に生じ得るハーネス５０の位置ずれを規制することができる。従って、ハーネス５０が折り畳まれた状態を確実に維持することができる。ホルダ６０が突起部９２，９３によって左右方向に移動可能に支持されることで、ホルダ６０は、ハーネス５０の折り畳み部５３に対する押圧あるいは引っ張りに合わせて移動することができる。従って、ハーネス５０の折り畳み部５３が押圧によってホルダ６０内で圧縮されたり、引っ張りによってホルダ６０から外れてしまったりすることを防止できる。
【００５２】
折り畳み部５３では、無限軌道ベルト状の回動において変形を生ずる折り返し部５３Ａの両端が、夫々、両面粘着テープ５７，５８によって、ホルダ６０及びセンサ基板７Ｌ、即ち、検出装置２Ｌの本体に固定される。検出装置２Ｌが検出装置２Ｒに対して近接又は離間する時、ハーネス５０に押圧あるいは引っ張り等の外力が加わっても、両面粘着テープ５７，５８が折り返し部５３Ａの両端を押さえる。従って、折り返し部５３Ａにおける無限軌道ベルト状の回動に伴う変形に、変動が生じにくい。故に、ハーネス５０の折り畳み部５３における回動を、安定して円滑に行うことができる。
【００５３】
このような構成のハーネス５０及びホルダ６０を設けることで、情報入力装置１は、検出装置２Ｒを検出装置２Ｌに対して近接する方向又は離間する方向に移動することができる。ユーザは、情報入力装置１にノート５を装着する時、ノート５の左表紙５Ｌを、保持シート４１Ｌの右辺側から挿入し、検出装置２Ｌの位置決め部２１Ｌに配置する。接着部２２Ｌにより、ノート５の左表紙５Ｌが位置決め部２１Ｌに固定される。次にユーザは、ノート５の右表紙５Ｒを検出装置２Ｒの位置決め部２１Ｒに配置する。この時、ユーザは、検出装置２Ｌをノート５と共に左右方向に移動することができる。さらに、ユーザは、ホルダ６０の突部６７を軸として、検出装置２Ｌを検出装置２Ｒに対して回動することができる。左表紙５Ｌが先に検出装置２Ｌに固定されたことで、ノート５の移動範囲には制約が生じる。しかし、情報入力装置１では、上記のように、検出装置２Ｒに対する検出装置２Ｌの位置決めの自由度が確保されている。従って、ユーザは、ノート５の右表紙５Ｒを容易に位置決め部２１Ｒに配置することができる。接着部２２Ｒにより、ノート５の右表紙５Ｒが位置決め部２１Ｒに固定されることで、ノート５の装着が完了する。
【００５４】
ところで、本実施形態の情報入力装置１では、検出装置２Ｌと２Ｒを開閉することによっても、検出装置２Ｌの対向辺２５Ｌと、検出装置２Ｒの対向辺２５Ｒの位置関係が変化する。それ故、ハーネス５０の折り畳み部５３において、上述のように、第一層部５３Ｂと第二層部５３Ｃの位置関係が変化し、左右方向において相対的なずれを生じる。そこで、本実施形態は、ノート５の開閉に伴い、ハーネス５０の折り畳み部５３における第一層部５３Ｂと第二層部５３Ｃの相対的な移動量を検出することで、検出装置２Ｒと２Ｌの開閉、及び開閉角度等を検出する。
【００５５】
図９，図１０を参照し、第一層部５３Ｂと第二層部５３Ｃの相対的な移動量を検出する為の構成を説明する。第一層部５３Ｂの上面と、第二層部５３Ｃの下面は、前後方向に隙間を空けて互いに対向する。第一層部５３Ｂの上面には、フォトセンサ７０が固定されている。フォトセンサ７０は、例えば、検出物に光を反射させることにより、物体の有無を検出する周知の反射型フォトセンサである。フォトセンサ７０は、ハーネス５０の電線から供給される電流で駆動する。第二層部５３Ｃの下面で、且つフォトセンサ７０と対向する位置には、パターン表示部８０が貼付されている。
【００５６】
図１０に示すように、パターン表示部８０は、第二層部５３Ｃの長手方向において規則的に黒領域と白領域が交互に配列されたゼブラパターンである。フォトセンサ７０は、パターン表示部８０に向けて光を照射し、その反射光を受光することによって、自身と対向する領域の色を検出する。パターン表示部８０は、例えば、左から順に、黒領域８１、白領域８２、黒領域８３、白領域８４、黒領域８５を備える。黒領域８１は、情報入力装置１を所定角度（例えば、１８０°）まで開いたときにフォトセンサ７０が対向する領域である。黒領域８５は、情報入力装置１を閉じたときにフォトセンサ７０が対向する領域である。フォトセンサ７０が黒領域８５を検出するときのフォトセンサ７０の位置を閉位置とする。閉位置はパターン表示部８０の基準位置である。フォトセンサ７０が黒領域８１を検出するときのフォトセンサ７０の位置を位置Ａとする。フォトセンサ７０が白領域８２を検出するときのフォトセンサ７０の位置を位置Ｂとする。フォトセンサ７０が黒領域８３を検出するときのフォトセンサ７０の位置を位置Ｃとする。フォトセンサ７０が白領域８４を検出するときのフォトセンサ７０の位置を位置Ｄとする。フォトセンサ７０の閉位置、位置Ａ〜Ｄは、検出装置２Ｌと２Ｒの開き角度に夫々対応する。例えば、位置Ａの開き角度は１８０°、位置Ｂの開き角度は１３５°、位置Ｃの開き角度は９０°、位置Ｄの開き角度は４５°である。
【００５７】
図９（Ａ），（Ｂ）に示すように、情報入力装置１の開閉に応じて、パターン表示部８０は、フォトセンサ７０の上方を左右方向に移動する。例えば、情報入力装置１を閉じた状態から、検出装置２Ｌ側を２Ｒに対して左方に回動させて開く場合、検出装置２Ｌの対向辺２５Ｌは、検出装置２Ｒの対向辺２５Ｒに近接する。このとき、図９（Ａ）に示すように、パターン表示部８０は、フォトセンサ７０の上方を右方に移動する。これに対して、情報入力装置１を開いた状態から、検出装置２Ｌ側を２Ｒに対して右方に１８０°回動させて閉じる場合、検出装置２Ｌの対向辺２５Ｌは、１８０°反転して検出装置２Ｒの対向辺２５Ｒの上方にやや離間して配置される。このとき、ハーネス５０は、連結部５２において内側に折れ曲がり、検出装置２Ｌの厚みにより、検出装置２Ｌの対向辺２５Ｌは、検出装置２Ｒの対向辺２５Ｒから離れる方向に移動する。それ故、図９（Ｂ）に示すように、パターン表示部８０は、フォトセンサ７０の上方を開いたときとは反対方向に移動する。そして、検出装置２Ｌが２Ｒに対して重ねて閉じられたときに、フォトセンサ７０の上方に黒領域８５が位置するようになっている。なお、情報入力装置１を閉じた状態では、ハーネス５０の折り畳み部５３は、開いた状態に対して１８０°反転するが、図９（Ｂ）では、分かり易くする為、図９（Ａ）の向きに揃えて図示している。
【００５８】
情報入力装置１は、検出装置２Ｌが２Ｒに対して閉じられた状態で、フォトセンサ７０が黒領域８５を検出するときの位置を、閉位置（基準位置）として、例えばフラッシュＲＯＭ２２に予め記憶する。情報入力装置１を閉じた状態から開く場合、フォトセンサ７０上をパターン表示部８０が右方に移動する。例えば、フォトセンサ７０が閉位置から白と黒を一回ずつ検出した場合、白領域８４、黒領域８３を順に検出しているので、情報入力装置１は、フォトセンサ７０が位置Ｃに在ることがわかる。それ故、情報入力装置１は開状態であると判断できる。
【００５９】
例えば、フォトセンサ７０が閉位置から白、黒、白、黒の順に検出した場合、白領域８４、黒領域８３、白領域８２、黒領域８１を順に検出しているので、情報入力装置１は、フォトセンサ７０が位置Ａに在ることがわかる。それ故、情報入力装置１は、位置Ａに対応する角度まで開いた状態であると判断できる。これとは逆に、例えば、フォトセンサ７０が位置Ａから白、黒、白、黒の順に検出した場合、白領域８２、黒領域８３、白領域８４、黒領域８５を順に検出しているので、情報入力装置１は、フォトセンサ７０が閉位置に在ることがわかる。それ故、情報入力装置１は閉状態であると判断できる。
【００６０】
このように、情報入力装置１は、検出装置２Ｌと２Ｒの開閉に応じて、フォトセンサ７０によって検出されるパターン表示部８０の白領域と黒領域の数を計数することによって、情報入力装置１が閉状態か開状態であるかを認識できる。さらに、情報入力装置１は、パターン表示部８０におけるフォトセンサ７０の位置を検出することにより、検出装置２Ｌと２Ｒの開閉角度を検出することもできる。なお、情報入力装置１の開閉、及び開閉角度を検出し、その結果に基づいて動作を制御する方法については後述する。
【００６１】
図１１，図１２を参照し、パターン表示部８０の変形例を説明する。本実施形態は、図１０に示すパターン表示部８０の代わりに、例えば、図１１，図１２に示すパターン表示部１８０，２８０を用いることもできる。図１１に示すパターン表示部１８０は、ハーネス５０における第二層部５３Ｃの長手方向において規則的に濃度の異なる領域を配列したパターンの一例である。領域１８１〜１８５は、図１０に示すパターン表示部８０の領域８１〜８５に夫々対応する。情報入力装置１は、フォトセンサ７０により、パターン表示部１８０の夫々の領域の濃度を検出することで、パターン表示部１８０におけるフォトセンサ７０の位置を検出できる。情報入力装置１は、フォトセンサ７０の検出位置に基づき、検出装置２Ｌと２Ｒの開閉、及び開閉角度を検出できる。
【００６２】
図１２に示すパターン表示部２８０は、ハーネス５０における第二層部５３Ｃの長手方向において一方から他方に徐々に濃度の異なる領域をグラデーション状に配列したパターンの一例である。領域２８１〜２８５は、図１０に示すパターン表示部８０の領域８１〜８５に夫々対応する。情報入力装置１は、フォトセンサ７０により、パターン表示部２８０の夫々の領域の濃度を検出することで、パターン表示部２８０におけるフォトセンサ７０の位置を検出できる。情報入力装置１は、フォトセンサ７０の検出位置に基づき、検出装置２Ｌと２Ｒの開閉、及び開閉角度を検出できる。なお、パターン表示部２８０では、第二層部５３Ｃの長手方向においてグラデーション状に濃度が異なるので、フォトセンサ７０の位置をより細かく検出できる。それ故、情報入力装置１は、検出装置２Ｌと２Ｒの開閉角度をより精度良く検出できる。
【００６３】
図１３を参照し、情報入力装置１の電気的構成を説明する。図１３では、太線は電気の接続線を示し、細線は信号の流れを示している。情報入力装置１は、センサ基板７Ｒ、７Ｌ、メイン基板２０、センサ制御基板２８、２９、入力部２５、及びフォトセンサ７０を備える。センサ基板７Ｒ、７Ｌは夫々、検出装置２Ｒ、２Ｌの内部に設けられる。入力部２５は、検出装置２Ｒに設けられる。
【００６４】
メイン基板２０は、ＣＰＵ２１、フラッシュＲＯＭ２２、ＲＡＭ２３、トランジスタ３１、レギュレータ３２、及び通信部（図示略）を備える。フラッシュＲＯＭ２２、ＲＡＭ２３、トランジスタ３１、及び通信部は、ＣＰＵ２１に電気的に接続されている。ＣＰＵ２１は情報入力装置１の制御を行う。ＲＡＭ２３は、演算データ等の各種データを一時的に記憶する。
【００６５】
フラッシュＲＯＭ２２は、ＣＰＵ２１が情報入力装置１を制御する為に実行する各種プログラムを記憶する。フラッシュＲＯＭ２２は、電子ペン６の軌跡を示すストロークデータを記憶する。フラッシュＲＯＭ２２は、後述の位置特定テーブルを記憶する。フラッシュＲＯＭ２２は、情報入力装置１に関する情報（以下、内部情報という。）を記憶する。内部情報は、例えば、情報入力装置１のファームウェアのバージョン情報、ストロークデータの保存回数、電源ＯＮの回数、エラー発生の回数、情報入力装置１に装着された紙媒体１００の種類、日付、時刻、各種設定値等を含む。フラッシュＲＯＭ２２は、内部情報を数値データで記憶する。通信部は、外部の電子機器と近距離無線通信を実行するためのコントローラである。外部の電子機器とは、例えばディスプレイを備えたＰＣ、携帯端末、タブレット端末、スマートフォン等である。
【００６６】
トランジスタ３１のベース側には、ＣＰＵ２１が電気的に接続されている。トランジスタ３１のエミッタ側には、センサ制御基板２９の後述するＡＳＩＣ２９Ａが電気的に接続されている。トランジスタ３１のコレクタ側には、レギュレータ３２が電気的に接続されている。レギュレータ３２は、電池３３からメイン基板２０、センサ制御基板２９，２８、フォトセンサ７０等に供給される電圧を調整する。
【００６７】
入力部２５は、ＣＰＵ２１に電気的に接続されている。入力部２５は、情報入力装置１に対する指示を入力するためのスイッチを含む。詳細には、入力部２５は、電源スイッチを含む。電源スイッチは、情報入力装置１に対して、電源のオンオフの指示を入力する為のスイッチである。ハーネス５０に固定されたフォトセンサ７０は、ハーネス５０の導電路を介してＣＰＵ２１に電気的に接続されている。
【００６８】
センサ基板７Ｌ、７Ｒには、左右方向（Ｘ軸方向）及び上下方向（Ｙ軸方向）の各々に、細長いループコイルが多数配列されている。センサ基板７Ｌは、センサ制御基板２８のＡＳＩＣ２８Ａに電気的に接続されている。ＡＳＩＣ２８Ａは、電子ペン６による記入動作がセンサ基板７Ｌ上で行われた場合に、電子ペン６の位置を座標情報として検出する。センサ基板７Ｒは、センサ制御基板２９のＡＳＩＣ２９Ａに電気的に接続されている。ＡＳＩＣ２９Ａは、電子ペン６による記入動作がセンサ基板７Ｒ上で行われた場合に、電子ペン６の位置を座標情報として検出する。ＡＳＩＣ２８Ａ、２９Ａのうち、マスター側のＡＳＩＣ２９ＡはＣＰＵ２１に直接接続され、スレーブ側のＡＳＩＣ２８ＡはＡＳＩＣ２９Ａを介してＣＰＵ２１に接続されている。
【００６９】
ノート５が情報入力装置１に適正位置で装着されると、センサ基板７Ｌ，７Ｒの夫々の検出領域上に、ノート５の用紙が載置される。検出領域は、センサ基板７Ｌ、７Ｒの夫々において、ループコイルが配列されている部分に対応する領域である。従って、紙媒体１００が情報入力装置１に適正位置で装着されると、検出領域上に、紙媒体１００が載置される。センサ基板７Ｌの検出領域及びセンサ基板７Ｒの検出領域は、同一の構成を有する。
【００７０】
線画データを取得する原理を説明する。ＣＰＵ２１はＡＳＩＣ２８Ａ、２９Ａを制御して、センサ基板７Ｌ、７Ｒの各々のループコイルに、一本ずつ特定の周波数の電流（励磁用送信電流）を流す。これにより、センサ基板７Ｌ、７Ｒの各々のループコイルから磁界が発生する。この状態で、例えばユーザが電子ペン６を用いて、ノート５の用紙１２１（図２参照）に線画を記入する動作を行うと、電子ペン６は、センサ基板７Ｌ、７Ｒの検出領域に近接する。それ故、電子ペン６の共振回路は電磁誘導によって共振し、誘導磁界を生じる。
【００７１】
次に、ＣＰＵ２１はＡＳＩＣ２８Ａ、２９Ａを制御して、センサ基板７Ｌ、７Ｒの各々のループコイルからの磁界の発生を停止させる。センサ基板７Ｌ、７Ｒの各々のループコイルは、電子ペン６の共振回路から発せられる誘導磁界を受信する。ＣＰＵ２１はＡＳＩＣ２８Ａ、２９Ａを制御して、センサ基板７Ｌ、７Ｒの各々のループコイルに流れる信号電流（受信電流）を検出させる。ＡＳＩＣ２８Ａ、２９Ａがこの動作を全てのループコイルについて一本ずつ実行することで、受信電流に基づいて電子ペン６の位置が座標情報として検出される。
【００７２】
位置特定テーブルは、情報入力装置１で検出可能な電子ペン６の全ての座標点と、情報入力装置１に固定された用紙１２０における座標点との対応を定めるテーブルである。ＣＰＵ２１は、位置特定テーブルを参照することで、検出した電子ペン６の座標点に基づき、ノート５における線画の記入位置を特定できる。
【００７３】
本実施形態では、ＣＰＵ２１は、検出した電子ペン６の座標点に基づき、ノート５の用紙１２１における記入領域１２２及びチェックボックス１３０（図２参照）の何れに線画が記入されているかを判断できる。記入領域１２２に線画が記入されている場合、ＣＰＵ２１は、一の連続する線画毎に線画データを取得し、ＲＡＭ２３に一時記憶する。線画データは、電子ペン６が用紙１２１に接触してから離れるまでの一回の記入動作における、電子ペン６の軌跡を示す複数の座標情報を含む。座標情報は、絶対座標及び相対座標の何れを示してもよい。
【００７４】
チェックボックス１３０に線画が記入された場合、ＣＰＵ２１は、ＲＡＭ２３に一時記憶されている線画データに基づき、ストロークデータを生成してフラッシュＲＯＭ２２に記憶する。ストロークデータは、記入領域１２２に記入されている線画の一部又は全体を示す座標情報と、ストローク間の順序関係を示す時間情報等を含む。
【００７５】
ＣＰＵ２１はフラッシュＲＯＭ２２に記憶したストロークデータを、通信部を介して、例えばスマートフォンに送信できる。スマートフォンは、情報入力装置１から受信したストロークデータを記憶する。スマートフォンは、記憶したストロークデータに基づき、テキストデータ又は画像データを生成し、ディスプレイに表示する。それ故、ユーザは、ノート５の用紙１２１に筆記した文章等を、情報入力装置１で読み取らせ、スマートフォンのディスプレイ上で確認することができる。
【００７６】
上記の通り、本実施形態の情報入力装置１は、ハーネス５０に設けられたフォトセンサ７０及びパターン表示部８０を用いることによって、検出装置２Ｌと２Ｒの開閉、若しくは開閉角度を検出し、その開閉、若しくは開閉角度に基づき、情報入力装置１の動作を制御できる。本実施形態は、その制御方法について、六つの実施例を挙げて順に説明する。
【００７７】
［第一実施例］
図１４を参照し、電源オフ制御処理を説明する。電源オフ制御処理は、例えば、ユーザが情報入力装置１を開いた状態で使用した後、検出装置２Ｌと２Ｒを閉じた場合に、情報入力装置１の電源を自動的にオフする処理である。ＣＰＵ２１は、電源がオン状態で且つ情報入力装置１が開状態であるとき、定期的に電源オフ制御プログラムをフラッシュＲＯＭ２２から読出し、本処理を実行する。なお、第一実施例は、図１０に示すパターン表示部８０を用いた例で説明するが、パターン表示部１８０，２８０を用いてもよい。
【００７８】
ＣＰＵ２１は、フォトセンサ７０によってパターン表示部８０における位置を検出する（Ｓ１）。上述したように、フォトセンサ７０は、パターン表示部８０のうち自身の上方に対向する領域を検出する。ＣＰＵ２１は、フォトセンサ７０の検出位置が閉位置まで移動したか否か判断する（Ｓ２）。フォトセンサ７０が閉位置ではなく、位置Ａ〜Ｄ（図１０参照）を検出した場合（Ｓ２：ＮＯ）、ＣＰＵ２１はＳ１に戻って、フォトセンサ７０の位置検出を継続する。フォトセンサ７０の検出位置が閉位置まで移動した場合（Ｓ２：ＹＥＳ）、検出装置２Ｌは２Ｒに対して閉じられた状態である。情報入力装置１の使用は終了しているので、ＣＰＵ２１は情報入力装置１の電源をオフし（Ｓ３）、本処理を終了する。
【００７９】
これにより、仮にユーザが検出装置２Ｌを２Ｒに対して閉じたときに、電源をオフする操作を忘れてしまった場合でも、自動でオフさせることができるので、情報入力装置１の電池寿命を延ばすことができる。なお、本実施形態では、ＣＰＵ２１は、フォトセンサ７０の検出位置が閉位置まで移動した場合（Ｓ２：ＹＥＳ）、速やかに電源をオフ（Ｓ３）するが、例えば、所定時間後（例えば１０秒後）に電源をオフするようにしてもよい。これにより、閉じた後すぐに使用する場合は、電源がオン状態のままであるので、情報入力装置１を起動させる時間を省略できる。
【００８０】
［第二実施例］
図１５を参照し、電源オン制御処理を説明する。電源オン制御処理は、閉状態の情報入力装置１の電源がオフ状態で、閉状態から開状態になった場合に、情報入力装置１の電源を自動的にオンさせる処理である。なお、情報入力装置１の電源オフ状態とは、待機電力のみでＣＰＵ２１が駆動できる状態をいう。ＣＰＵ２１は、電源がオフ状態で、且つ検出装置２Ｌと２Ｒが閉状態であるとき、定期的に電源オン制御プログラムをフラッシュＲＯＭ２２から読出し、本処理を実行する。なお、第二実施例も、図１０に示すパターン表示部８０を用いた例で説明するが、パターン表示部１８０，２８０を用いてもよい。
【００８１】
ＣＰＵ２１は、フォトセンサ７０によってパターン表示部８０における位置を検出する（Ｓ１１）。ＣＰＵ２１は、フォトセンサ７０が閉位置の黒領域８５から白領域と黒領域の変化を二つ以上検出したか否か判断する（Ｓ１２）。例えば、フォトセンサ７０が白領域と黒領域の変化を一つだけ検出した場合（Ｓ１２：ＮＯ）、フォトセンサ７０は閉位置から位置Ｄに移動したことになるが、検出装置２Ｌと２Ｒは少し開いただけで、完全には開いていない状態である。その状態では、ユーザが情報入力装置１を使用するかどうかは判断できず、場合によってはすぐに閉じてしまうことも想定される。また、少し開いただけでは、ノート５に筆記することもできない。それ故、ＣＰＵ２１はＳ１１に戻り、電源をオンすることなく引き続き、フォトセンサ７０の位置を検出する。フォトセンサ７０が閉位置から白領域と黒領域の変化を二つ以上検出した場合（Ｓ１２：ＹＥＳ）、フォトセンサ７０は位置Ａ、Ｂ、Ｃの何れかに移動したので、検出装置２Ｌと２Ｒは開かれた状態である。それ故、ＣＰＵ２１は情報入力装置１の電源をオンし（Ｓ１３）、本処理を終了する。
【００８２】
これにより、ユーザは、情報入力装置１を開くだけで、電源をオンできるので、入力部２５における電源スイッチをオンする動作を不要にできる。また、第一実施例と第二実施例を組み合せることで、情報入力装置１を開閉するだけで、電源のオンオフが可能となる。これにより、情報入力装置１は、操作性を向上できると共に、電池寿命を延ばすことができる。
【００８３】
［第三実施例］
ユーザは情報入力装置１を机上に置いて使用する場合がある。この場合、検出装置２Ｌと２Ｒは互いに略水平に置かれた状態となるので、開閉角度は約１８０°である。この他に、ユーザは、情報入力装置１を手に持った状態で使用する場合がある。この場合、情報入力装置１は半分開いた状態となるので、完全に水平に開いた状態からはノート５の紙面の位置が綴じ側とは反対側（自由端側）に少しずれる。即ち、ノート５の開閉角度によって、ノート５の紙面への記入位置と、センサ基板７Ｌ，７Ｒが読み取る位置とがずれる可能性がある。また、本実施形態では、情報入力装置１を半分に開いた状態では、チェックボックス１３０（図２参照）に記入したチェックを正確に認識できないことも想定される。
【００８４】
そこで、第三実施例では、ＣＰＵ２１は、情報入力装置１の開閉角度に応じて、ＲＡＭ２３に記憶した線画データの位置の補正を行うことができる。ＣＰＵ２１は、電源がオン状態で、線画データの記憶を検出した場合、第一データ補正プログラムをフラッシュＲＯＭ２２から読出し、図１６に示す第一データ補正処理を実行する。
【００８５】
図１６に示すように、ＣＰＵ２１は、フォトセンサ７０によってパターン表示部８０における位置を検出する（Ｓ２１）。ＣＰＵ２１は、上述のように、フォトセンサ７０が検出する黒領域と白領域の数を数えることによって、パターン表示部８０上のフォトセンサ７０の位置を検出する。ＣＰＵ２１はフォトセンサ７０の検出位置が位置Ａに在るか否か判断する（Ｓ２２）。位置Ａに在る場合（Ｓ２２：ＹＥＳ）、情報入力装置１は完全に水平に開いた状態であり、この状態を基準状態とするため、ＣＰＵ２１は取得した線画データの位置を補正せずに、本処理を終了する。位置Ａに無い場合（Ｓ２２：ＮＯ）、ＣＰＵ２１はフォトセンサ７０が位置Ｂに在るか否か判断する（Ｓ２３）。位置Ｂに在る場合（Ｓ２３：ＹＥＳ）、情報入力装置１の開閉角度は１３５°であるので、完全に水平に開いた状態からは自由端側に例えば０．５ｍｍ程ずれている。それ故、ＣＰＵ２１は、取得してＲＡＭ２３に記憶した線画データを０．５ｍｍ綴じ側にずらして補正する（Ｓ２６）。
【００８６】
フォトセンサ７０が位置Ｂにも無い場合（Ｓ２３：ＮＯ）、ＣＰＵ２１はフォトセンサ７０が位置Ｃに在るか否か判断する（Ｓ２４）。位置Ｃに在る場合（Ｓ２４：ＹＥＳ）、情報入力装置１の開閉角度は９０°であるので、完全に水平に開いた状態からは自由端側に例えば１ｍｍ程ずれている。それ故、ＣＰＵ２１は、取得してＲＡＭ２３に記憶した線画データを１ｍｍ綴じ側にずらして補正する（Ｓ２７）。
【００８７】
フォトセンサ７０が位置Ｃにも無い場合（Ｓ２４：ＮＯ）、ＣＰＵ２１はフォトセンサ７０が位置Ｄに在るか否か判断する（Ｓ２５）。位置Ｄに在る場合（Ｓ２５：ＹＥＳ）、情報入力装置１の開閉角度は４５°であるので、完全に水平に開いた状態からは自由端側に例えば１．５ｍｍ程ずれている。それ故、ＣＰＵ２１は、取得してＲＡＭ２３に記憶した線画データを、１．５ｍｍ綴じ側にずらして補正する（Ｓ２８）。ＲＡＭ２３における線画データの補正後、ＣＰＵ２１は本処理を終了する。なお、フォトセンサ７０が位置Ｄにも無い場合（Ｓ２５：ＮＯ）、ＣＰＵ２１は何もせずに本処理を終了する。
【００８８】
このように、第三実施例では、情報入力装置１の開閉角度に応じて、ＲＡＭ２３に記憶した線画データの位置を、１８０°に開いた位置を基準に補正できる。それ故、例えば情報入力装置１を机上に開いた状態で、ノート５の用紙１２１に筆記中、情報入力装置１を手に持ち替えて開閉角度が変わった場合でも、線画データをずれることなく適切に記憶できる。線画データを適切に記憶できるので、ストロークデータを良好に生成できる。また、情報入力装置１を半分開いた状態で、用紙１２１のチェックボックス１３０（図２参照）にチェックを入れた場合でも、チェックボックス１３０に記入したチェックの線画データは、適切な位置に補正されるので、ＣＰＵ２１は、チェックボックス１３０に記入したチェックを正確に認識できる。それ故、ユーザの指示に応じて、ノート５の用紙１２１上の筆記を確定させ、ストロークデータを生成できる。
【００８９】
［第四実施例］
上述のように、本実施形態では、電子ペン６の位置を検出する為に、センサ基板７Ｌ、７Ｒの各々のループコイルに、一本ずつ特定の周波数の電流（励磁用送信電流）を流し、センサ基板７Ｌ、７Ｒの各々のループコイルから磁界を発生させる。センサ基板７Ｌ、７Ｒの各々のループコイルに流す電流は、少なくとも電子ペン６まで磁界が届く為に必要となる電流を流せばよい。ここで、センサ基板７Ｌ、７Ｒから電子ペン６までの距離は、ノート５の厚さによって異なる。例えば、ノート５が薄い場合、ノート５が厚い場合と比較して電子ペン６の取り得る高さの範囲は狭くなる。この場合、電子ペン６まで磁界が届く為に必要な電流を小さい範囲にできる。
【００９０】
図１７は、ノート５の厚さ（ｍｍ）と、ノート５の用紙１２１上に筆記する電子ペン６まで磁界が届く為に必要となる電流との関係をグラフで示したものである。このグラフに示すように、ノート５の厚さが厚くなればなるほど、センサ基板７Ｌ、７Ｒから電子ペン６までの距離が大きくなるので、磁界を発生させる為に必要となる電流は大きくなる。その反対に、ノート５の厚さが薄くなればなるほど、センサ基板７Ｌ、７Ｒから電子ペン６までの距離が小さくなるので、磁界を発生させる為に必要となる電流は小さくなる。つまり、ノート５の厚さに応じて、電子ペン６まで磁界が届く為に必要となる電流は異なることがわかる。
【００９１】
ノート５の厚さによって、情報入力装置１を閉じたときのハーネス５０の位置、即ち、第一層部５３Ｂと第二層部５３Ｃの相対的な移動量は若干変化する。そこで、第四実施例では、ノート５を閉じたときのフォトセンサ７０によって検出されるハーネス５０の位置に基づき、ノート５の厚さを三段階で推定する。ＣＰＵ２１は推定したノート５の厚さに応じて、センサ基板７Ｌ、７Ｒの各々のループコイルに流す電流を制御することで、消費電力を節約できる。
【００９２】
図１８を参照し、第四実施例で用いるパターン表示部２８０と、その使用方法を説明する。パターン表示部２８０は、図１２に示すものと同一である。情報入力装置１を閉じたとき、同じ黒領域２６１内において、フォトセンサ７０の位置はノート５の厚さに応じて変化する。本実施例は、閉位置に対応する黒領域２６１を左右方向に三つの範囲に分割し、左側から順に、Ｐ１位置、Ｐ２位置、Ｐ３位置を夫々設定する。本実施例は、Ｐ１位置をノート５の厚さ：４０〜６０ｍｍ、Ｐ２位置をノート５の厚さ：２０〜４０ｍｍ、Ｐ３位置はノート５の厚さ：０〜２０ｍｍに設定する。なお、これらのノート５の厚さ、設定方法は一例であり、自由に変更可能である。情報入力装置１のＣＰＵ２１は、情報入力装置１を閉じたときのフォトセンサ７０の位置が、Ｐ１〜Ｐ３位置の何れに属するかによって、ノート５の厚みを推定できる。
【００９３】
図１９を参照し、センサ基板７Ｒのループコイルに流す電流を三段階で調整する為の電気的構成を説明する。なお、センサ基板７Ｌにおいても同様の構造であるので、ここでは、センサ基板７Ｒにおける電流の調整について説明する。図１９は、ＣＰＵ２１、センサ制御基板２９のＡＳＩＣ２９Ａ、及びセンサ基板７Ｒの電気的接続部分の要部を示している。ＡＳＩＣ２９Ａと、センサ基板７Ｒとの間には、３本の接続線Ｌ１〜Ｌ３が互いに並列に接続されている。接続線Ｌ１には、トランジスタＴ１と抵抗１４１が設けられている。抵抗１４１の抵抗値は、例えば３０Ωである。接続線Ｌ２には、トランジスタＴ２と抵抗１４２が設けられている。抵抗１４２の抵抗値は、例えば４７Ωである。接続線Ｌ３には、トランジスタＴ３と抵抗１４３が設けられている。抵抗１４３の抵抗値は、例えば６８Ωである。
【００９４】
例えば、トランジスタＴ３をオンしたときにセンサ基板７Ｒに流れ電流の大きさは、トランジスタＴ１をオンしたときにセンサ基板７Ｒに流れ電流の大きさよりも小さくなる。このような電気的構成を備えることによって、ＡＳＩＣ２９Ａは、センサ基板７Ｒの磁界発生時にオンするトランジスタを、Ｔ１，Ｔ２，Ｔ３の中から設定する。これにより、センサ基板７Ｒに流れる電流の大きさが変わるので、磁界の強さを変えることができる。なお、本実施例では、電流を三段階で調整する為の電気的構成を説明したが、電流を調整する段階数に合わせて、接続線、トランジスタ、抵抗等の数を変更してもよい。
【００９５】
図２０を参照し、トランジスタ設定処理を説明する。本処理は、情報入力装置１の開閉角度に応じて、センサ基板７Ｌ，７Ｒの磁界発生時にオンするトランジスタを設定する処理である。ＣＰＵ２１は、電源がオン状態の場合、トランジスタ設定プログラムをフラッシュＲＯＭ２２から定期的に読出し、本処理を実行する。
【００９６】
ＣＰＵ２１は、フォトセンサ７０によってパターン表示部２８０（図１８参照）における位置を検出する（Ｓ３１）。ＣＰＵ２１はフォトセンサ７０の検出位置は閉位置か否か判断する（Ｓ３２）。閉位置で無ければ（Ｓ３２：ＮＯ）、ＣＰＵ２１はＳ３１に戻り、引き続きフォトセンサ７０によって位置を検出する。ノート５を装着した状態で、情報入力装置１が閉じられた場合、フォトセンサ７０の検出位置は閉位置となるので（Ｓ３２：ＹＥＳ）、ＣＰＵ２１は、フォトセンサ７０の検出位置がＰ１位置か否か判断する（Ｓ３３）。Ｐ１位置である場合（Ｓ３３：ＹＥＳ）、ノート５の厚さは４０〜６０ｍｍと推定できる。この場合、ノート５は厚く、センサ基板７Ｌ、７Ｒから電子ペン６までの距離が大きいので、ＣＰＵ２１は、磁界発生時にオンするトランジスタをＴ１に設定する（Ｓ３５）。
【００９７】
フォトセンサ７０の検出位置がＰ１位置で無い場合（Ｓ３３：ＮＯ）、ＣＰＵ２１は、フォトセンサ７０の検出位置がＰ２位置か否か判断する（Ｓ３４）。Ｐ２位置である場合（Ｓ３４：ＹＥＳ）、ノート５の厚さは２０〜４０ｍｍと推定できるので、ＣＰＵ２１は磁界発生時にオンするトランジスタをＴ２に設定する（Ｓ３６）。フォトセンサ７０の検出位置がＰ２位置でも無い場合（Ｓ３４：ＮＯ）、フォトセンサ７０の検出位置はＰ３位置であるから、ノート５の厚さは０〜２０ｍｍと推定できる。この場合、ノート５は薄く、センサ基板７Ｌ、７Ｒから電子ペン６までの距離が小さいので、ＣＰＵ２１は、磁界発生時にオンするトランジスタをＴ３に設定する（Ｓ３７）。ＣＰＵ２１は、設定したトランジスタ
の情報（以下、トランジスタ情報と呼ぶ）をＡＳＩＣ２９Ａに送信し（Ｓ３８）、本処理を終了する。
【００９８】
図２１を参照し、トランジスタ情報受信処理を説明する。本処理はＡＳＩＣ２９Ａ，２８Ａが実行するが、本実施例では、ＡＳＩＣ２９Ａが実行する場合を説明する。ＡＳＩＣ２９Ａは、情報入力装置１の電源がオン状態の場合、トランジスタ情報受信プログラムをメモリ（図示略）から定期的に読出し、本処理を実行する。ＡＳＩＣ２９Ａは、ＣＰＵ２１からトランジスタ情報を受信したか否か判断する（Ｓ４１）。トランジスタ情報を受信していない場合（Ｓ４１：ＮＯ）、ＡＳＩＣ２９ＡはＳ４１に戻って待機する。トランジスタ情報を受信した場合（Ｓ４１：ＹＥＳ）、ＡＳＩＣ２９Ａは、トランジスタ情報を記憶し（Ｓ４２）、本処理を終了する。
【００９９】
例えば、ノート５の厚さが４０〜６０ｍｍであった場合、ＣＰＵ２１は磁界発生時にオンするトランジスタをＴ１に設定する。ＣＰＵ２１は、トランジスタをＴ１に設定するトランジスタ情報を、ＡＳＩＣ２９Ａに送信する。ＡＳＩＣ２９Ａは、受信したトランジスタ情報を記憶する。ＡＳＩＣ２９Ａは、ＣＰＵ２１からセンサ基板７Ｒの駆動信号を受信した場合、先に記憶したトランジスタ情報に基づき、トランジスタＴ１をオンする。これにより、センサ基板７Ｒ上に発生する磁界は、厚さ４０〜６０ｍｍのノート５上に筆記する電子ペン６まで届くように調整できる。
【０１００】
このように、第四実施例では、推定したノート５の厚さに応じて、センサ基板７Ｌ、７Ｒに流す電流を三段階で調整できる。それ故、情報入力装置１は、例えば、薄いノート５を使う場合は消費電力を抑えることができるので、電池寿命を延ばすことができる。また、ノート５の厚さに応じて、センサ基板７Ｌ、７Ｒに流す電流を調整できるので、センサ基板７Ｌ，７Ｒ上に発生する磁界を、電子ペン６の高さ位置まで確実に届かせることができる。それ故、電子ペン６の筆記位置を確実に検出できるので、正確な線画データを取得でき、正確なストロークデータを生成できる。
【０１０１】
［第五実施例］
センサ基板７Ｒ、７Ｌが電子ペン６から受信する信号の強さは、電子ペン６の高さによって変化する。つまり、ユーザが筆記するノート５のページの厚さによって、電子ペン６から受信する信号の強さは変化する。従って、電子ペン６から受信する信号の強さを計測することによって、現在筆記しているページを推定できる。例えば、図２２に示すように、ノート５を開いたときには、ノート５の厚さによるずれが生じる。そのずれは、ページの上の方ほど綴じ側（左側）へずれる。そこで、第五実施例では、電子ペン６から受信する信号の強さから現在筆記しているページを推定し、その推定したページによって生じるずれ量を、線画データを記憶するＲＡＭ２３上で補正する。
【０１０２】
図２３は、ノート５のページに対応する三つの高さ範囲と、電子ペン６から受信する信号の強度との関係をグラフで示したものである。三つの高さ範囲とは、第１高さ範囲、第２高さ範囲、第３高さ範囲である。第１高さ範囲は、机上に載置されたときのノート５の下層であり、最下部から１〜１０目ページを指す。第２高さ範囲は、机上に載置されたときのノート５の中間層であり、最下部から１１〜２０ページ目を指す。第３高さ範囲は、机上に載置されたときのノート５の上層であり、最下部から２１〜３０ページ目を指す。なお、これらのノート５の高さ範囲、ページ数等は一例であり、自由に変更可能である。
【０１０３】
このグラフに示すように、ノート５の下層にいけばいくほど、センサ基板７Ｒ，７Ｌと電子ペン６との距離は小さくなるので、電子ペン６から受信する信号は強くなる。これとは逆に、ノート５の上層にいけばいくほど、センサ基板７Ｒ，７Ｌと電子ペン６との距離は大きくなるので、電子ペン６から受信する信号は弱くなる。電子ペン６から受信する信号強さに基づき、電子ペン６の高さ範囲を推定できる。電子ペン６の高さ範囲を推定できれば、推定した高さ範囲において生じるページのずれ量を、線画データを記憶するＲＡＭ２３上で補正できる。
【０１０４】
図２４を参照し、ペン高さ算出処理を説明する。本処理はＡＳＩＣ２９Ａ，２８Ａが実行するが、本実施例では、ＡＳＩＣ２９Ａが実行する場合を説明する。ＡＳＩＣ２９Ａは、電子ペン６から信号を受信したか否か判断する（Ｓ５１）。電子ペン６から信号を受信しない場合（Ｓ５１：ＮＯ）、ＡＳＩＣ２９ＡはＳ５１に戻って待機する。電子ペン６から信号を受信した場合（Ｓ５１：ＹＥＳ）、ＡＳＩＣ２９Ａは、受信した信号の強度に基づき、電子ペン６の高さ範囲を推定する（Ｓ５２）。ＡＳＩＣ２９Ａは、例えば、図２３に対応するテーブル情報を予め記憶し、該テーブル情報を参照して高さ範囲を推定してもよい。ＡＳＩＣ２９Ａは、推定した高さ範囲を高さ情報としてＣＰＵ２１に送信し（Ｓ５３）、本処理を終了する。
【０１０５】
図２５を参照し、第二データ補正処理を説明する。ＣＰＵ２１は、電源がオン状態で、線画データの記憶を検出した場合、第二データ補正プログラムをフラッシュＲＯＭ２２から読出し、第二データ補正処理を実行する。
【０１０６】
ＣＰＵ２１は、ＡＳＩＣ２９Ａから電子ペン６の高さ情報を受信したか否か判断する（Ｓ６１）。高さ情報を受信しない場合（Ｓ６１：ＮＯ）、ＣＰＵ２１はＳ６１に戻って待機する。高さ情報を受信した場合（Ｓ６１：ＹＥＳ）、ＣＰＵ２１は受信した高さ情報を参照し、電子ペン６の高さが第１高さ範囲か否か判断する（Ｓ６２）。第１高さ範囲である場合（Ｓ６２：ＹＥＳ）、電子ペン６が筆記するページは、ノート５の下層である１〜１０ページ目であり、センサ基板７Ｒ，７Ｌから近い位置である。それ故、ノート５におけるページのずれは殆ど無いので、ＣＰＵ２１は何もせずに本処理を終了する。
【０１０７】
電子ペン６の高さが第１高さ範囲で無い場合（Ｓ６２：ＮＯ）、ＣＰＵ２１は第２高さ範囲か否か判断する（Ｓ６３）。第２高さ範囲である場合（Ｓ６３：ＹＥＳ）、電子ペン６が筆記するページは、ノート５の中間層である１１〜２０ページ目であり、センサ基板７Ｒ，７Ｌから少し離れる位置である。それ故、ＣＰＵ２１は、取得してＲＡＭ２３に記憶した線画データの座標情報を、例えば０．５ｍｍ自由端側（右側）にずらして補正する（Ｓ６５）。ＲＡＭ２３における線画データの補正後、ＣＰＵ２１は本処理を終了する。
【０１０８】
電子ペン６の高さが第２高さ範囲でも無い場合（Ｓ６２：ＮＯ）、ＣＰＵ２１は第３高さ範囲か否か判断する（Ｓ６４）。第３高さ範囲である場合（Ｓ６４：ＹＥＳ）、電子ペン６が筆記するページは、ノート５の上層である２１〜３０ページ目であり、センサ基板７Ｒ，７Ｌから大きく離れる位置である。それ故、ＣＰＵ２１は、取得してＲＡＭ２３に記憶した線画データの座標情報を、例えば１ｍｍ自由端側（右側）にずらして補正する（Ｓ６６）。ＲＡＭ２３における線画データの補正後、ＣＰＵ２１は本処理を終了する。なお、電子ペン６の高さが第３高さ範囲でも無い場合（Ｓ６４：ＮＯ）、ＣＰＵ２１は何もせずに本処理を終了する。
【０１０９】
このように、第五実施例では、ページによってずれた分を、線画データを記憶するＲＡＭ２３上で補正できる。これにより、情報入力装置１は、ページによって生じるずれが補正された線画データを元に、ストロークデータを生成できる。それ故、情報入力装置１は生成したストロークデータを、スマートフォン等の外部端末に送信することによって、ノート５の筆跡をディスプレイに精度良く表示できる。さらに、情報入力装置１は、第三実施例と第五実施例を組み合わせて実行することにより、ノート５の開く角度によるずれと、ページの厚さによるずれの両方を補正できるので、スマートフォン等の外部端末において、ノート５の筆跡をディスプレイにさらに精度良く表示できる。
【０１１０】
［第六実施例］
上記の通り、ハーネス５０は、複数の導電路が形成された可撓性を有する絶縁フィルムであるので、長期間の使用で何度も繰り返して折り曲げられることによって劣化を生じる。劣化によってハーネス５０の導電路が断線する可能性もある。それ故、ハーネス５０の折り曲げ回数には、耐久回数が設定される。ハーネス５０の折り曲げ回数は、情報入力装置１の開閉回数に相当する。そこで、第六実施例では、情報入力装置１は、検出装置２Ｒ，２Ｌの開閉回数を計数し、その開閉回数がハーネス５０の耐久回数に近づいている場合に、ユーザへの報知を行う。
【０１１１】
例えば、ユーザが情報入力装置１の入力部２５において、ハーネス５０の開閉回数のリセット操作（初期化）を行った場合、ＣＰＵ２１はフラッシュＲＯＭ２２から耐久回数報知プログラムを読出し、耐久回数報知処理を実行する。
【０１１２】
図２６に示すように、ＣＰＵ２１は、開閉回数ｋを０に初期化する（Ｓ６１）。開閉回数ｋは、例えばＲＡＭ２３に予め記憶する。ＣＰＵ２１は、フォトセンサ７０によってパターン表示部８０（図１０参照）における位置を検出する（Ｓ６２）。ＣＰＵ２１は、情報入力装置１が閉状態から開状態、若しくは開状態から閉状態に切り替わったか否か判断する（Ｓ６３）。情報入力装置１は開状態のまま、若しくは閉状態のままで状態が変わらなければ（Ｓ６３：ＮＯ）、ＣＰＵ２１はＳ６２に戻り、引き続き情報入力装置１の開閉を監視する。
【０１１３】
情報入力装置１が閉状態から開状態、若しくは開状態から閉状態に切り替わった場合（Ｓ６３：ＹＥＳ）、ハーネス５０は一回折り曲げられたので、ＣＰＵ２１は開閉回数ｋに１加算する（Ｓ６４）。ＣＰＵ２１は、開閉回数ｋは所定回数以上か否か判断する（Ｓ６５）。所定回数は、例えば耐久回数よりも少なく、且つ耐久回数に近い回数にするとよい。開閉回数ｋが所定回数未満である場合（Ｓ６５：ＮＯ）、ハーネス５０の開閉回数は耐久回数に近づいていないので、ＣＰＵ２１はＳ６２に戻って、引き続き情報入力装置１の開閉を監視する。
【０１１４】
開閉回数ｋが所定回数以上である場合（Ｓ６５：ＹＥＳ）、ハーネス５０の開閉回数は耐久回数に近づいているので、ＣＰＵ２１は報知処理を実行する（Ｓ６６）。報知処理では、ハーネス５０の折り曲げ回数が耐久回数に近づいていることを報知する為に、例えば、前カバー８Ｒの右上端部に設けられた収容部７９に設けられた発光部７９Ａ（図１，図２参照）を点灯又は点滅させてもよい。または、アラーム等の音声を出力するようにしてもよい。または、スマートフォン等の外部端末にエラー信号を送信し、スマートフォンのディスプレイ上にエラーメッセージを表示するようにしてもよい。ユーザは、発光部７９Ａの点灯又は点滅等を確認することで、ハーネス５０の耐久回数が近づいていることに気付くことができる。それ故、ユーザは、例えば、ハーネス５０が損傷して断線する前に、ハーネス５０の交換、修理等を行うことができる。ＣＰＵ２１は報知処理を実行した後、本処理を終了する。
【０１１５】
なお、本実施形態の情報入力装置１は、上記第一〜第六実施例を夫々実行してもよく、二つ以上を組み合わせて実行するようにしてもよい。
【０１１６】
以上説明したように、本実施形態の情報入力装置１は、冊子状のノート５の用紙１２１上で、電子ペン６によって筆記したデータを線画データとして取得し、取得した線画データに基づき、ストロークデータを生成して記憶する。情報入力装置１は、一対の見開き状の検出装置２Ｒ，２Ｌ、外装カバー４、ハーネス５０を備える。検出装置２Ｒは、センサ基板７Ｒを有し、センサ基板７Ｒに近接する電子ペン６の位置を検出可能な板状体であって、ノート５の表紙５Ｒと対向配置可能である。検出装置２Ｌは、センサ基板７Ｌを有し、センサ基板７Ｌに近接する電子ペン６の位置を検出可能な板状体であって、ノート５の表紙５Ｌと対向配置可能である。外装カバー４は、右カバー部４Ｒ、左カバー部４Ｌ、及び折曲部４Ｃを備える。右カバー部４Ｒは、検出装置２Ｒを固定する。左カバー部４Ｌは、検出装置２Ｌを検出装置２Ｒに対して近接する方向および離間する方向に移動可能に保持する。折曲部４Ｃは、左カバー部４Ｌと右カバー部４Ｒを左右中央で連結する。外装カバー４は、折曲部４Ｃを折り曲げることで、検出装置２Ｌと検出装置２Ｒとが対向する向きに折り畳むことができる。
【０１１７】
ハーネス５０は、検出装置２Ｒと検出装置２Ｌの間に接続される。ハーネス５０は、右側接続部５１、左側接続部５４、連結部５２、折り畳み部５３を含む。右側接続部５１は、検出装置２Ｒと接続する。左側接続部５４は、検出装置２Ｌと接続する。連結部５２と折り畳み部５３は、右側接続部５１と左側接続部５４の間に設けられる。折り畳み部５３は、折り返し部５３Ａ、第一層部５３Ｂ、第二層部５３Ｃを備える。折り返し部５３Ａは、上下方向を軸に前方側へ曲がって１８０度折返す部位である。第一層部５３Ｂ及び第二層部５３Ｃは、折り返し部５３Ａによって、検出装置２Ｌと外装カバー４の左カバー部４Ｌとが向き合う方向に互いに対向する。
【０１１８】
このような情報入力装置１では、ノート５の開閉に伴い、検出装置２Ｌの対向辺２５Ｌと、検出装置２Ｒの対向辺２５Ｒとが互いに近接又は離間する方向に移動する。それ故、ハーネス５０の折り畳み部５３においても、ノート５の開閉に合わせ、第一層部５３Ｂと第二層部５３Ｃの位置関係が変化し、左右方向においてずれを生じる。第一層部５３Ｂの上面には、フォトセンサ７０が固定されている。第二層部５３Ｃの下面で、且つフォトセンサ７０と対向する位置には、パターン表示部８０が貼付されている。パターン表示部８０は、第二層部５３Ｃの長手方向において規則的に黒領域と白領域が交互に配列されたゼブラパターンである。フォトセンサ７０は、パターン表示部８０に向けて光を照射し、その反射光を受光することによって、自身と対向する領域の色を検出する。情報入力装置１の開閉に応じて、パターン表示部８０は、フォトセンサ７０の上方を左右方向に移動する。
【０１１９】
情報入力装置１は、検出装置２Ｌと２Ｒの開閉に応じて、フォトセンサ７０によって検出されるパターン表示部８０の白領域と黒領域の数を計数することによって、情報入力装置１が閉状態か開状態であるかを認識できる。さらに、情報入力装置１は、パターン表示部８０におけるフォトセンサ７０の位置を検出することにより、検出装置２Ｌと２Ｒの開閉角度を検出することもできる。それ故、情報入力装置１は、検出装置２Ｌと２Ｒの開閉に応じて動作を制御できる。
【０１２０】
以上説明において、検出装置２Ｒが本発明の「第一検出装置」の一例である。検出装置２Ｌが本発明の「第二検出装置」の一例である。ノート５が本発明の「記録媒体」の一例である。外装カバー４が本発明の「連結部材」の一例である。右カバー部４Ｒが本発明の「固定部」の一例である。左カバー部４Ｌが本発明の「保持部」の一例である。折曲部４Ｃが本発明の「折曲部」の一例である。ハーネス５０が本発明の「接続部材」の一例である。右側接続部５１が本発明の「第一接続部」の一例である。左側接続部５４が本発明の「第二接続部」の一例である。連結部５２、折り畳み部５３が本発明の「中間部」の一例である。折り返し部５３Ａが本発明の「折り返し部」の一例である。第一層部５３Ｂが本発明の「第一対向部」の一例である。第二層部５３Ｃが本発明の「第二対向部」の一例である。図１４に示すＳ１、図１５に示すＳ１１、図１６に示すＳ２１、図２０に示すＳ３１、図２６のＳ６２の処理を実行するＣＰＵ２１が本発明の「検出手段」の一例である。ＣＰＵ２１、ＡＳＩＣ２８Ａ，２９Ａが本発明の「制御手段」の一例である。センサ基板７Ｒが本発明の「第一回路部」の一例である。センサ基板７Ｌが本発明の「第二回路部」の一例である。
【０１２１】
図１４に示すＳ２、図１５に示すＳ１２の処理を実行するＣＰＵ２１が本発明の「開閉判断手段」の一例である。ストロークデータが本発明の「筆記データ」の一例である。フラッシュＲＯＭ２２が本発明の「記憶手段」の一例である。図１６に示すＳ２６〜Ｓ２８の処理を実行するＣＰＵ２１が本発明の「第一補正手段」の一例である。図２４のＳ５１、Ｓ５２の処理を実行するＡＳＩＣ２８Ａ，２９Ａが本発明の「頁数推定手段」の一例である。図２５のデータ補正処理を実行するＣＰＵ２１が本発明の「第二補正手段」の一例である。図２６に示すＳ６３、６４の処理を実行するＣＰＵ２１が本発明の「計数手段」の一例である。Ｓ６６の処理を実行するＣＰＵ２１が本発明の「報知処理」の一例である。
【０１２２】
本発明は上記実施形態に限定されるものではなく、種々の変更が可能である。例えば、上記実施形態では、パターン表示部８０を用いているが、これ以外のパターンでもよく、白黒のパターンではなく、パターン表示部１８０（図１１参照），２８０（図１２参照）のように、濃度の異なるパターンを並べる、又は徐々に濃度を変えるでもよい。少なくとも、折り畳み部５３の長手方向において規則的に色又は濃度が異なるパターンであるのが好ましい。
【０１２３】
また、上記実施形態では、情報入力装置１の開閉時に生じるハーネス５０の第一層部５３Ｂと第二層部５３Ｃの相対的な移動量を、フォトセンサ７０を用いて検出したが、これ以外の方法で相対的な移動量を検出してもよく、例えば、メカ的な機構で移動量を検出するようにしてもよい。例えば、ホルダ６０にギアを回転可能に取り付け、該ギアに噛合する平歯ギアを外装カバー４側に取り付け、ホルダ６０の移動に伴ってギアが回転するようにする。ギアの軸は上下方向に向ける。平歯ギアは、ホルダ６０の移動方向に沿って設ける。そして、このギアの軸の回転角度を角度検出器等（例えばエンコーダ等）で検出することで、情報入力装置１の開閉、及び開閉角度を検出することができる。
【０１２４】
また、上記実施形態では、ハーネス５０を収納して保持するホルダ６０を備えているが、ホルダ６０を無くして、例えば外装カバー４にハーネス５０を直接貼り付けてもよい。
【０１２５】
また、上記実施形態では、フォトセンサ７０はハーネス５０上に設けて電源を供給しているが、電源は別のハーネスで供給すれば、必ずしもフォトセンサ７０を置く位置がハーネス５０上とならなくてもよい。
【０１２６】
また、図９に示すフォトセンサ７０とパターン表示部８０の上下の位置関係は逆でもよい。例えば、フォトセンサ７０を第二層部５３Ｃの下面に固定し、パターン表示部８０を第一層部５３Ｂの上面に貼付してもよい。
【０１２７】
また、上記実施形態は、パターン表示部８０の領域を反射型のフォトセンサ７０を用いて検出しているが、これ以外のフォトセンサを用いてもよい。
【０１２８】
また、上記実施形態の第三実施例と第五実施例では、線画データの座標情報を補正しているが、フラッシュＲＯＭ２２に記憶されたストロークデータの座標情報を補正するようにしてもよい。
【０１２９】
また、上記実施形態では、折り畳み部５３を備えたハーネス５０に、フォトセンサ７０及びパターン表示部８０を設けているが、検出装置２Ｒと２Ｌを接続する部材であって、ハーネス５０と同様の折り畳み部を備える部材であれば、そのような接続部材に、フォトセンサ７０及びパターン表示部８０を設けてもよい。
【０１３０】
また、上記実施形態の第三実施例と第五実施例では、情報入力装置１において、線画データの補正を行っているが、例えば、ストロークデータを受信した外部端末においてストロークデータの補正を行ってもよい。その場合、ＣＰＵ２１は、フォトセンサ７０による検出結果を送信するとよい。
【０１３１】
また、上記実施形態のＣＰＵ２１が実行する処理は、夫々、ＣＰＵ２１以外の電子部品（例えば、ＡＳＩＣ）によって実行されてもよい。各処理は夫々、複数の電子機器（つまり、複数のＣＰＵ）によって分散処理されてもよい。
【符号の説明】
【０１３２】
１      情報入力装置
２Ｌ，２Ｒ    検出装置
４      外装カバー
４Ｃ    折曲部
４Ｌ    左カバー部
４Ｒ    右カバー部
５      ノート
５Ｌ    左表紙
５Ｒ    右表紙
６      電子ペン
７Ｌ，７Ｒ    センサ基板
２１    ＣＰＵ
２３    ＲＡＭ
２８Ａ，２９Ａ  ＡＳＩＣ
５０    ハーネス
５１    右側接続部
５２    連結部
５３    折り畳み部
５３Ａ  折り返し部
５３Ｂ  第一層部
５３Ｃ  第二層部
５４    左側接続部
７０    フォトセンサ
８０    パターン表示部
【図１】
0006341219.tif 000002
【図２】
0006341219.tif 000003
【図３】
0006341219.tif 000004
【図４】
0006341219.tif 000005
【図５】
0006341219.tif 000006
【図６】
0006341219.tif 000007
【図７】
0006341219.tif 000008
【図８】
0006341219.tif 000009
【図９】
0006341219.tif 000010
【図１０】
0006341219.tif 000011
【図１１】
0006341219.tif 000012
【図１２】
0006341219.tif 000013
【図１３】
0006341219.tif 000014
【図１４】
0006341219.tif 000015
【図１５】
0006341219.tif 000016
【図１６】
0006341219.tif 000017
【図１７】
0006341219.tif 000018
【図１８】
0006341219.tif 000019
【図１９】
0006341219.tif 000020
【図２０】
0006341219.tif 000021
【図２１】
0006341219.tif 000022
【図２２】
0006341219.tif 000023
【図２３】
0006341219.tif 000024
【図２４】
0006341219.tif 000025
【図２５】
0006341219.tif 000026
【図２６】
0006341219.tif 000027